(57)【要約】【課題】複数の視点に向けて夫々画像を表示することができる表示パネルにおいて、凹凸構造を有する反射板と画像振分手段との組み合わせによる画質の低下を低減し、高画質化を実現できる表示パネル、表示装置及び端末装置を提供する。【解決手段】少なくとも第１視点用の画像を表示する画素及び第２視点用の画像を表示する画素を含む複数の表示単位がマトリクス状に配列され、前記表示単位内において前記第１視点用の画像を表示する画素４Ｌａと前記第２視点用の画像を表示する画素４Ｒｂとを配列した第１の方向Ｘに沿って、前記各画素から出射した光を相互に異なる方向に振り分けるレンチキュラレンズ３を備えた表示パネル１において、前記画素には凸構造５１を有する反射板５Ａが形成され、この反射板５Ａの凸構造５１の配置パターンが前記画像振分手段３に対して異なる画素を設ける。【選択図】図１
2008304885.tif 000002
【特許請求の範囲】
【請求項１】
少なくとも第１視点用の画像を表示する画素及び第２視点用の画像を表示する画素を含む複数の表示単位がマトリクス状に配列され、前記表示単位内において前記第１視点用の画像を表示する画素と前記第２視点用の画像を表示する画素とを配列した第１の方向に沿って、前記各画素から出射した光を相互に異なる方向に振り分ける画像振分手段を備えた表示パネルにおいて、
前記画素には凹凸構造を有する反射板が形成され、同一視点用の画像を表示する複数画素において前記反射板の凹凸構造の配置パターンが異なる画素が存在することを特徴とする表示パネル。
【請求項２】
前記反射板の凹凸構造の配置パターンが前記第１視点用の画像を表示する画素と前記第２視点用の画像を表示する画素とで異なる表示単位が存在し、ある表示単位における前記第１視点用の画像を表示する画素の凹凸構造の配置パターンが、別の表示単位における前記第２視点用の画像を表示する画素の凹凸構造の配置パターンと略同一であることを特徴とする請求項１に記載の表示パネル。
【請求項３】
前記反射板の凹凸構造の配置パターンが、前記表示単位内において同一であることを特徴とする請求項１又は２に記載の表示パネル。
【請求項４】
前記反射板の凹凸構造の配置パターンが、前記画像振分手段の前記第１の方向に配列する表示単位で異なる状態を有することを特徴とする請求項１乃至３のいずれか１項に記載の表示パネル。
【請求項５】
前記反射板の凹凸構造の配置パターンが、前記表示パネルの表示面内において前記画像振分手段の前記第１の方向と直交する第２の方向に配列する表示単位で異なる状態を有することを特徴とする請求項１乃至３のいずれか１項に記載の表示パネル。
【請求項６】
前記反射板の凹凸構造の配置パターンが、前記画像振分手段の前記第１の方向に配列する表示単位で異なる状態を有し、かつ前記表示パネルの表示面内において前記画像振分手段の前記第１の方向と直交する前記第２の方向に配列する表示単位で異なる状態を有することを特徴とする請求項４又は５に記載の表示パネル。
【請求項７】
前記表示パネルはカラー表示を実現するための複数色の色画素群を有し、この色画素の同色が線状に配列され、この線状配列の延伸する方向が、前記表示パネルの表示面内において前記画像振分手段の前記第１の方向と直交する前記第２の方向であることを特徴とする請求項５に記載の表示パネル。
【請求項８】
前記表示パネルはカラー表示を実現するための複数色の色画素群を有し、この色画素の同色が線状に配列され、この線状配列の延伸する方向が、前記表示パネルの表示面内において前記画像振分手段の前記第１の方向と直交する前記第２の方向であることを特徴とする請求項６に記載の表示パネル。
【請求項９】
前記表示パネルはカラー表示を実現するための複数色の色画素群を有し、この色画素の同色が線状に配列され、この線状配列の延伸する方向が、前記画像振分手段の前記第１の方向であることを特徴とする請求項４に記載の表示パネル。
【請求項１０】
前記表示パネルはカラー表示を実現するための複数色の色画素群を有し、この色画素の同色が線状に配列され、この線状配列の延伸する方向が、前記画像振分手段の前記第１の方向であり、前記反射板の凹凸構造の配置パターンが、前記色画素群内で同じであることを特徴とする請求項５に記載の表示パネル。
【請求項１１】
前記表示パネルはカラー表示を実現するための複数色の色画素群を有し、この色画素の同色が線状に配列され、この線状配列の延伸する方向が、前記画像振分手段の前記第１の方向であることを特徴とする請求項６に記載の表示パネル。
【請求項１２】
前記表示パネルの隣接する画素において、前記反射板の凹凸構造の配置パターンが、前記画像振分手段の前記第１の方向と直交する前記第２の方向に延伸する線分に対して線対称の関係の画素を有することを特徴とする請求項１乃至１１のいずれか１項に記載の表示パネル。
【請求項１３】
前記表示パネルの隣接する画素において、前記反射板の凹凸構造の配置パターンが回転対称の関係の画素を有することを特徴とする請求項１乃至１１のいずれか１項に記載の表示パネル。
【請求項１４】
前記表示パネルの画素が平行四辺形状を呈し、前記画像振分手段の前記第１の方向に隣接する画素の境界が、この第１の方向と直交する前記第２の方向に対して傾斜していることを特徴とする請求項１乃至１３のいずれか１項に記載の表示パネル。
【請求項１５】
前記画素境界の傾斜方向は、前記画像振分手段の前記第１の方向と直交する前記第２の方向に隣接する画素では反対方向であることを特徴とする請求項１４に記載の表示パネル。
【請求項１６】
前記表示パネルの画素が台形状を呈し、前記画像振分手段の前記第１の方向に隣接する画素の境界が、この前記第１の方向と直交する前記第２の方向に対して傾斜し、隣接する画素が回転対称に配置されていることを特徴とする請求項１乃至１３のいずれか１項に記載の表示パネル。
【請求項１７】
前記画像振分手段は、この画像振分手段の前記第１の方向にシリンドリカルレンズが配列するように形成したレンチキュラレンズであることを特徴とする請求項１乃至１６のいずれか１項に記載の表示パネル。
【請求項１８】
前記画像振分手段は、この画像振分手段の前記第１の方向にスリットが配列するように形成したパララックスバリアであることを特徴とする請求項１乃至１６のいずれか１項に記載の表示パネル。
【請求項１９】
前記画像振分手段は、レンズが二次元状に配列するように形成したフライアイレンズであることを特徴とする請求項１乃至１６のいずれか１項に記載の表示パネル。
【請求項２０】
前記画像振分手段は、有限幅の開口が二次元状に配列するように形成されたパララックスバリアであることを特徴とする請求項１乃至１６のいずれか１項に記載の表示パネル。
【請求項２１】
前記表示パネルは半透過型の表示パネルであることを特徴とする請求項１乃至２０のいずれか１項に記載の表示パネル。
【請求項２２】
前記表示パネルは、画素の透過用表示領域よりも反射用の表示領域の方が小さく形成された微反射型の表示パネルであることを特徴とする請求項２１に記載の表示パネル。
【請求項２３】
前記表示パネルが液晶表示パネルであることを特徴とする請求項１乃至２２のいずれか１項に記載の表示パネル。
【請求項２４】
請求項１乃至２３のいずれか１項に記載の表示パネルを有することを特徴とする表示装置。
【請求項２５】
請求項２４に記載の表示装置を有することを特徴とする端末装置。
【発明の詳細な説明】
【技術分野】
【０００１】
本発明は、画像振分用の光学手段を有し、複数の視点に向けて夫々画像を表示することができる表示パネル、表示装置及び端末装置に関し、特に反射表示において優れた表示品質を有し、高精細化、半透過型に好適に適用可能な表示パネル、表示装置及び端末装置に関する。
【背景技術】
【０００２】
近時の技術進展により、表示パネルは、モニタ及びテレビ受像機等の大型の端末装置から、ノート型パーソナルコンピュータ、キャッシュディスペンサ、自動販売機等の中型の端末装置、パーソナルＴＶ、ＰＤＡ（Personal Digital Assistance：個人用情報端末）、携帯電話、携帯ゲーム機等の小型の端末装置にまで搭載され、様々な場所で使用されている。
【０００３】
特に、液晶を使用した液晶表示装置は、薄型、軽量、小型、低消費電力等の利点を有するため、多くの端末装置に搭載されている。
現在の表示装置は、正面方向以外の方向から観察した場合でも、正面方向と同じ内容が視認される。これに対し、表示装置を視認する方向により異なる画像が視認可能な表示装置も検討され、次世代の表示装置として期待されている。このような表示装置、即ち複数方向の視点に向けて夫々異なる画像を表示可能な装置の一例として、立体画像表示装置を挙げることができる。
【０００４】
特許文献１に記載のように、立体画像表示装置の機能としては、左右の視点に対して異なる画像、即ち左右両眼に視差画像を提示することが必要となる。
【０００５】
この機能を具体的に実現する方法として、多くの立体画像表示方式が検討されているが、これらは特殊な眼鏡を使用する方式と使用しない方式とに大別することができる。このうち、眼鏡を使用する方式には、色の違いを利用したアナグリフ方式、及び偏光を利用した偏光眼鏡方式等があるが、本質的に眼鏡をかける煩わしさを避けることができないため、近年では眼鏡を使用しない眼鏡なし方式が盛んに検討されている。
【０００６】
眼鏡なし方式には、レンチキュラレンズ方式、パララックスバリア方式等がある。特許文献１に記載されているように、レンチキュラレンズ方式は複数の視点に対して画像を分離する手段としてレンチキュラレンズを使用する方式である。なお、複数の視点に画像を分離するとは、より厳密には、レンチキュラレンズが複数の画素の光を各々異なる視点方向に分離することを意味する。本発明においては後者の機能を指して、前者の表現を使用することがある。レンチキュラレンズは一方の面が平面から構成され、その反対面に一方向に延びるかまぼこ状の凸部（シリンドリカルレンズ）が、当該凸部の長手方向が相互に平行になるように複数個形成されたものである。
【０００７】
レンチキュラレンズ方式の立体画像表示装置では、観察者（使用者）側から見て手前側から奥側に向かって順に、レンチキュラレンズ、表示パネルと配置された構成となっており、レンチキュラレンズの焦点面に表示パネルの画素が位置している。
又、表示パネルにおいては、右眼用の画像を表示する画素と左眼用の画像を表示する画素とが交互に配列されている。このとき、相互に隣接する画素からなる群は、レンチキュラレンズの各凸部に対応している。これにより、各画素からの光は、レンチキュラレンズの凸部により左右の眼に向かう方向に振り分けられ、左右の眼に相互に異なる画像を認識させることが可能となり、その結果、観察者は立体画像を認識できることになる。
【０００８】
一方、パララックスバリア方式は、細い縦縞状の多数の開口、即ち、スリットが形成されたバリア（遮光板）を画像分離手段として使用する方式である。左眼用の画像を表示する画素及び右眼用の画像を表示する画素からなる群は、パララックスバリアのスリットに対応して配置される。この結果、観察者(使用者)の右眼は左眼用の画像を表示する画素がバリアで遮られて視認できず、右眼用の画像を表示する画素のみを視認することになり、同様に使用者の左眼は右眼用の画像を表示する画素を視認できず、左眼用の画像を表示する画素のみを視認することになる。この結果、視差画像を表示した場合、使用者は立体画像を認識することが可能となる。
【０００９】
上記パララックスバリア方式は、当初考案された際には、パララックスバリアが画素と眼との間に配置されていたこともあり、目障りで視認性が低い点が問題であった。しかし、近時の液晶表示装置の実現に伴って、パララックスバリアを表示パネルの裏側に配置することが可能となって視認性が改善された。
このため、パララックスバリア方式の立体画像表示装置については、現在盛んに検討が行われている。ただし、パララックスバリア方式が不要な光線をバリアにより「隠す」方式であるのに対し、レンチキュラレンズ方式は光の進む向きを変える方式であり、レンチキュラレンズ方式は原理的に表示画面の明るさの低下がないという利点を有する。そのため、レンチキュラレンズ方式は、特に高輝度表示及び低消費電力性能が重視される携帯機器等への適用が検討されつつある。
【００１０】
又、複数の視点に向けて夫々異なる画像を表示可能な装置の他の例として、複数の異なる画像を複数視点で同時に表示可能な複数画像同時表示装置が開発されている（例えば、特許文献２参照）。これは、レンチキュラレンズによる画像の振分機能を利用して、観察する方向毎に異なる画像を同時に同一条件で表示するディスプレイである。
これにより、１台の複数画像同時表示装置が、この表示装置に対して相互に異なる方向に位置する複数の使用者に対して、相互に異なる画像を同時に提供することができる。
特許文献２には、この複数画像同時表示装置を使用することにより、通常の１画像表示装置を同時に表示したい画像の数だけ用意する場合と比較して、設置スペース及び電気代を削減できると記載されている。
【００１１】
このように、異なる視点に向けて夫々異なる画像を表示するため、レンチキュラレンズやパララックスバリア等の画像振分用の光学手段を配置した表示装置が盛んに検討されているが、単に光学手段を設けただけでは様々な問題が発生することを本発明者は見出し、これまでに指摘してきた。
【００１２】
一例では、特許文献１に記載のように、画素に凹凸構造を有する反射板を設けた反射型表示パネルや半透過型表示パネルを使用した場合、観察位置によって部分的に表示の輝度が低下する領域が発生し、観察位置を変えると輝度が低下した位置では表示が暗くなったように見え、場合によっては暗線状の模様が画像に重畳して観察される。
この表示の輝度変化により、表示品質が低下して観察される問題が発生する。この問題の原因は、レンチキュラレンズにより集光された外光が、反射板上に形成された凹凸構造で反射される際に、凹凸構造を構成する斜面の傾斜角に依存して反射角が変化することにある。
【００１３】
そこで特許文献１では、レンチキュラレンズの焦点距離が反射板とレンズとの距離と異なるように配置する方法、凹凸構造がレンチキュラレンズにより集光された光を複数回反射するように凹凸構造の斜面を設定する方法、シリンドリカルレンズの配列方向において前記凹凸構造におけるある傾斜角を持つ斜面の存在確率が前記画素中で均一となるように凹凸構造を設定する方法が提案されている。
【００１４】
【特許文献１】特開２００４−２８００７９号公報
【特許文献２】特開平０６−３３２３５４号公報
【発明の開示】
【発明が解決しようとする課題】
【００１５】
上述の解決法は、画像振分手段を有し、凹凸構造を有する反射板を供えた表示パネルに対して好適に適用できるものの、以下に示す課題も発生する。
即ち、レンチキュラレンズの焦点距離が反射板とレンズとの距離と異なるように配置する方法においては、画像振分手段であるレンチキュラレンズの条件が画像振分の最適条件から異なる条件となるため、画像振分の効果が低下するという問題である。この問題は、凹凸構造のピッチが粗いにもかかわらず、画素ピッチを小さくしなければならない高精細化の際に大きな問題となる。
【００１６】
又、凹凸構造がレンチキュラレンズにより集光された光を複数回反射するように凹凸構造の斜面を設定する方法においては、凹凸構造を構成する斜面の角度を最適化する必要があり、それに適したプロセスを開発、適用する必要がある。
【００１７】
更に、シリンドリカルレンズの配列方向において前記凹凸構造におけるある傾斜角を持つ斜面の存在確率が前記画素中で均一となるように凹凸構造を設定する方法においては、各画素中で凹凸の影響を低減すべく凹凸構造を最適化する必要があるが、特に凹凸構造が粗いにもかかわらず画素ピッチを小さくしなければならない高精細化の場合や、各画素における反射板の面積確保が相対的に困難な半透過型表示パネルに適用する場合に、凹凸構造の最適化の余地が狭まるため、適用が難しくなる。
【００１８】
これらの問題は凹凸構造を微細化することにより緩和される傾向にあるが、一般的に凹凸構造はフォトリソグラフィ技術を使用して作製されるため、微細化には露光機やフォトレジストの性能向上が必要になり、専用プロセスの開発も必要になるため容易ではない。
【００１９】
本発明はかかる問題点に鑑みてなされたものであって、画像振分用の光学手段を有し、複数の視点に向けて夫々画像を反射表示することができる表示パネル、表示装置及び端末装置に関し、反射表示において優れた表示品質を有するだけでなく、特に画像振分用の光学手段の性能を損なわずに、従来の凹凸製造技術でも容易に高精細化、半透過型に対応可能な表示パネル、表示装置及び端末装置を提供することを目的とする。
【課題を解決するための手段】
【００２０】
本発明に係る表示パネルは、少なくとも第１視点用の画像を表示する画素及び第２視点用の画像を表示する画素を含む複数の表示単位がマトリクス状に配列され、前記表示単位内において前記第１視点用の画像を表示する画素と前記第２視点用の画像を表示する画素とを配列した第１の方向に沿って、前記各画素から出射した光を相互に異なる方向に振り分ける画像振分手段を備えた表示パネルにおいて、前記画素には凹凸構造を有する反射板が形成され、同一視点用の画像を表示する複数画素において前記反射板の凹凸構造の配置パターンが異なる画素が存在することを特徴とする。
【００２１】
このため、本発明によれば、反射板の凹凸構造の配置パターンが画像振分手段に対して異なる画素を有するため、この互いに異なる画素を用いて、画像振分手段と反射板の凹凸構造との組み合わせに起因する画質の低下を補償し合うことができる。その結果、観察位置によって部分的に表示の輝度が低下する現象を抑制できるため、高画質化が可能となり、反射表示において優れた表示品質を有するものとすることができる。
又、画像振分手段の焦点距離をレンズの頂点と、第１視点用の画像を表示する画素と第２視点用の画像を表示する画素との間の距離に設定することができる。その結果、画像振分手段の振分性能を最大限に発揮できる条件にすることができ、画像振分効果への悪影響もない。
更に、本発明では各画素の凹凸構造の配置パターンを変化させることで画質の低下を防止し、高画質化を図れるので、凹凸構造自体は特に微細化しなくてもよい。その結果、従来の凹凸製造技術を適用できる。
更に又、画素が高精細化した場合においても、同様に各画素の配置パターンを変化させて補償し合うことができ高画質化が可能となるため、高精細化への対応が容易である。
【発明の効果】
【００２２】
本発明によれば、反射板の凹凸構造の配置パターンが画像振分手段に対して異なる画素を有するため、この互いに異なる画素を用いて画像振分手段と反射板の凹凸構造との組み合わせに起因する画質の低下を補償し合うことができる。その結果、高画質化が可能となり、反射表示において優れた表示品質を有するものとすることができる。
又、画像振分手段を例えばシリンドリカルレンズとした際、その焦点距離をレンズの頂点と、第１視点用の画像を表示する画素と第２視点用の画像を表示する画素との間の距離に設定することができる。その結果、画像振分手段の振分性能を最大限に発揮できる条件にすることができ、画像振分効果への悪影響もない。
更に、本発明では各画素の凹凸構造の配置パターンを変化させることで高画質化を図れるので、凹凸構造自体は特に微細化しなくてもよい。その結果、関連する凹凸製造技術を適用できる。
更に又、画素が高精細化した場合においても、同様に各画素の配置パターンを変化させて補償し合うことができ高画質化が可能となるため、高精細化への対応が容易である。
【発明を実施するための最良の形態】
【００２３】
以下、本発明の実施形態に係る表示パネル、表示装置及び端末装置を図１〜４に基づいて具体的に説明する。
先ず、本発明の第１の実施形態に係る表示パネル、表示装置及び端末装置について説明する。図１は本第１の実施形態に係る表示パネル1を示す断面図であり、図２は図１に示す表示パネル１の画素を示す上面図であり、図３は表示パネル１の作用を示す断面図であり、図４は本実施形態に係る表示パネル１を使用した端末装置を示す斜視図である。
【００２４】
図１に示すように、本第１実施形態に係る表示パネル１は、表示パネルの画素から出射した光を相互に異なる方向に振り分ける画像振分手段としてレンチキュラレンズ３を具備した反射型の表示パネル１である。
レンチキュラレンズ３は、表示パネル１の表示面側、即ち使用者側に配置されている。なお、図１は表示パネル１の画面中央部における断面を模式的に示している。
【００２５】
表示パネル１は、電気信号を表示に変換するための電気光学手段として液晶を使用した液晶表示パネルであり、左眼用の画素と右眼用の画素からなる表示単位としての画素対がマトリクス状に設けられた立体表示用の表示パネルである。
【００２６】
又、反射表示を実現するため、凸構造５１を有する反射板５Ａが各画素に形成されている。そして、この凸構造５１により反射板５Ａの表面は拡散反射面となっている。
即ち、反射板５Ａに対し、特定方向から入射した外光は、反射板５Ａの表面の凸構造５１により、種々の方向に拡散して反射し、観察者（使用者）方向にも反射する。これにより、表示パネルの表面等における光源模様の映り込みを避けて表示パネルを使用でき、明るい反射表示を実現することができる。
更に、外光等の光源が拡散光を発する場合には、凸構造５１を有することで、単なる鏡面反射と比較して、正面方向に反射する光の成分を増やすことができるため、明るい反射表示を実現することができる。
【００２７】
レンチキュラレンズ３は、左右画素からの光を分離するために設けられた画像分離用の光学手段であり、多数のシリンドリカルレンズ３ａが一次元配列されたレンズアレイである。そして、これらのシリンドリカルレンズ３ａで光を分離することにより光を相互に異なる方向に振り分けることができる。これにより、レンチキュラレンズ３は、前記画像振分手段としての役割を果たすことができる。
シリンドリカルレンズ３ａはかまぼこ状の凸部を有し、その長手方向と直交する方向にのみレンズ効果を有する一次元レンズである。シリンドリカルレンズ３ａの延伸する方向、即ち長手方向は、表示面内においてシリンドリカルレンズ３ａの配列方向と直交する方向となっている。
そして、シリンドリカルレンズ３ａは左右画素対からなる表示単位と対応して配置される。本実施形態においては特に、画面中央に相当する表示単位を左眼用画素４Ｌａ及び右眼用画素４Ｒａと呼称する。
【００２８】
シリンドリカルレンズ３ａの配列方向には、左眼用画素及び右眼用画素からなる表示単位が繰り返し配列される。この配列方向において、左眼用画素４Ｌａ及び右眼用画素４Ｒａからなる表示単位と隣接する表示単位の左眼用画素及び右眼用画素を夫々４Ｌｂ、４Ｒｂと呼称する。
これにより、左眼用画素４Ｌａ及び右眼用画素４Ｒａからなる表示単位に対して、左右に隣接する表示単位は、共に左眼用画素４Ｌｂ及び右眼用画素４Ｒｂから構成される。
更に、左眼用画素４Ｌｂ及び右眼用画素４Ｒｂからなる表示単位に着目すると、その両隣には左眼用画素４Ｌａ及び右眼用画素４Ｒａからなる表示単位が配置されている。
【００２９】
図２に示すように、シリンドリカルレンズ３ａの長手方向に対しては、左眼用画素４Ｌａ及び右眼用画素４Ｒａからなる表示単位が繰り返し配列され、左眼用画素４Ｌａ及び右眼用画素４Ｒａからなる列を形成している。同様に、左眼用画素４Ｌｂ及び右眼用画素４Ｒａからなる表示単位に着目すると、この表示単位は長手方向に対して繰り返し配列され、左眼用画素４Ｌｂ及び右眼用画素４Ｒｂからなる列を形成している。
【００３０】
シリンドリカルレンズ３ａの焦点距離は、シリンドリカルレンズ３ａの主点、即ちレンズの頂点と、画素面との距離に設定されている。なお、画素面とは、左眼用画素４Ｌａや右眼用画素４Ｒａ等の画素が配置された面である。又、本発明の実施形態においては、このレンズの主点と画素面との距離をレンズ画素間距離として定義する。シリンドリカルレンズ３ａの焦点距離をレンズ画素間距離と等しく設定することにより、画像振分手段としてのレンチキュラレンズ３の効果を最大限に発揮することができる。
【００３１】
なお、本明細書においては、便宜上、以下のようにＸＹＺ直交座標系を設定する。即ち、左眼用画素４Ｌａ及び右眼用画素４Ｒａが繰り返し配列される方向において、右眼用画素４Ｒａから左眼用画素４Ｌａに向かう方向を＋Ｘ方向とし、その反対方向を−Ｘ方向とする。そして、＋Ｘ方向及び−Ｘ方向を総称して第１の方向であるＸ軸方向といい、このＸ軸方向が画像振分手段の画像振分方向とされる。
【００３２】
又、シリンドリカルレンズ３ａの長手方向（図１中紙面と直交する方向）を第２の方向であるＹ軸方向とする。そして、このＹ軸方向は画像振分方向と直交する方向である。
更に、Ｘ軸方向及びＹ軸方向の双方に直交する方向をＺ軸方向とし、このＺ軸方向のうち、左眼用画素４Ｌａ又は右眼用画素４Ｒａからレンチキュラレンズ３に向かう方向を＋Ｚ方向とし、その反対方向を−Ｚ方向とする。＋Ｚ方向は前方、即ち、使用者に向かう方向である。そして、＋Ｙ方向は、右手座標系が成立する方向とする。つまり、人の右手において手の甲を下に向けた状態で、親指を＋Ｘ方向、人差指を＋Ｙ方向に向けたとき、中指は＋Ｚ方向を向くように立てた状態とする。
【００３３】
上述の如くＸＹＺ直交座標系を設定すると、シリンドリカルレンズ３ａの配列方向はＸ軸方向となり、左眼用画素４Ｌａ及び右眼用画素４Ｒａが夫々Ｙ軸方向に一列に繰り返し配列されている。
同様に、左眼用画素４Ｌｂ及び右眼用画素４Ｒｂも夫々Ｙ軸方向に一列に配列されている。又、Ｘ軸方向における画素対の配列周期はシリンドリカルレンズ３ａの配列周期と略等しくなっており、このＸ軸方向において、１対の画素対がＹ軸方向に配列してなる列が、一つのシリンドリカルレンズ３ａに対応している。
【００３４】
図１及び図２に示すように、左眼用画素４Ｌａ及び右眼用画素４Ｒａは、対応するシリンドリカルレンズ３ａとの位置関係が異なるため、夫々左眼用の画素及び右眼用の画素として作用する。反射板５Ａの凸構造５１は、どちらの画素４Ｌａ、４Ｒａも同じパターンで配置されている。
【００３５】
又、左眼用画素４Ｌｂ及び右眼用画素４Ｒｂにおいても、反射板５の凸構造５１は、両画素４Ｌｂ、４Ｒｂで同じように配置されている。ただし、左眼用画素４Ｌａ及び右眼用画素４Ｒａと、左眼用画素４Ｌｂ及び右眼用画素４Ｒｂは凸構造５１が異なるパターンで配置されている。特に各画素における凸構造５１の配置パターンに着目すると、左眼用画素４Ｌａ及び右眼用画素４Ｒａの凸構造５１が形成されていない場所に対応して、左眼用画素４Ｌｂ及び右眼用画素４Ｒｂの凸構造５１が形成されている。
即ち、左眼用画素４Ｌａ及び右眼用画素４Ｒａからなる表示単位と、左眼用画素４Ｌｂ及び右眼用画素４Ｒｂからなる表示単位とを比較すると、凸構造５１同士が互いに補間し、補償し合うように配置されていることになる。
以降、本発明の実施形態においては、この「補間する」又は「補償する」という表現が使用される。この表現は、２種類の画素における反射板を比較した際に、凹凸構造や凹凸構造に起因する斜面構造が各画素中において異なる位置に配置されていることを意味する。
【００３６】
更に、各画素に対し、夫々隣接する画素との境界に着目すると、その境界線は夫々Ｘ軸方向又はＹ軸方向と平行に形成されている。
そして、各左眼用画素４Ｌａと右眼用画素４Ｒａ、左眼用画素４Ｌａと左眼用画素４Ｌａ等、各画素の間には、ブラックマトリスとも言われる遮光部７（図２参照；黒塗り部）が設けられている。この遮光部７は、隣接画素の表示が影響し合うのを防止したり、画素に表示信号を伝送するための配線を設置するスペースを確保したりするために設けられているものである。
なお、図１中、符号６は液晶を表し、符号９はレンズを表し、符号１０は基板を表す。
【００３７】
次に、上述の如く構成された本実施形態に係る表示パネル１の作用について説明する。
図３は図１に示す表示パネル１において、Ｘ軸に平行な線分で表示パネル１を切断した断面における光学モデルを示す図である。
【００３８】
図３に示すように、本実施形態の表示パネル１は、前述のように反射型であるため、外光を表示に利用するものである。
そこで、反射型液晶表示パネルに入射する外光のうち、ある平行光成分の光８９に着目して動作を説明する。レンチキュラレンズ３に入射した光８９は、レンチキュラレンズ３により集光される。レンチキュラレンズ３の焦点距離は、前述のように、反射板５Ａに焦点を結ぶように設定されている。
【００３９】
ここでまず、右眼用画素４Ｒａに入射する光に着目すると、レンチキュラレンズ３により集光された光８９は、反射板５Ａの表面で焦点を結ぶことになる。この焦点が凸構造５１の斜面に存在すると、斜面により斜め方向に反射されるため、反射光は使用者の方向とは異なる方向に進行し、表示には殆ど寄与しない。つまり、使用者からは視認されない。
【００４０】
一方で、右眼用画素４Ｒｂに入射する光８９に着目すると、右眼用画素４Ｒｂでは、右眼用画素４Ｒａの凸構造５１が存在する場所に相当する場所には凸構造５１が形成されていない。このため、レンチキュラレンズ３により集光された光８９は、右眼用画素４Ｒｂの凸構造５１の斜面が形成されていない部分、つまり反射板５の表面で焦点を結ぶ。そのため、斜面が形成されている場合と比較して、反射光は使用者の方向により多く反射し、表示に寄与することになる。つまり、使用者から視認することができる。
【００４１】
以上のように、図３に示す条件においては、右眼用画素４Ｒａは使用者に暗く視認されるが、右眼用画素４Ｒｂは明るく視認されることになる。
即ち、シリンドリカルレンズ３ａの配列するＸ軸方向に対しては、明るく視認される画素と暗く視認される画素が交互に配置された状態が観察される。又、Ｙ軸方向に対しては、明るく視認される画素はそのまま配列され、暗く視認される画素も同様にそのまま配列される。
【００４２】
このため、表示画面全体をミクロに観察した場合には、明るく視認される画素と暗く視認される画素が、夫々Ｙ軸方向に延びる縦線を形成して、Ｘ軸方向に一表示単位毎に存在することになる。しかし一般的に、表示パネルはこのような１表示単位毎のミクロな模様が視認されないような精細度や視認距離が設定されるため、使用者はミクロな縦線を分離して観察することはできない。即ち、明るい線と暗い線は補償し合うため、マクロ的には明暗の縞なく、均一な表示が実現されることになる。
【００４３】
なお、前述のように、凸構造は各画素において分布を有して配置されている。このため、Ｘ軸に平行な線分を用いて切断表示した表示パネル断面図のＹ座標が異なると、凸構造のＸ座標も異なることになる。
即ち、上述の説明は、ある特定のＹ座標における反射光の振る舞いについて説明したものであるが、実際にはこの説明をＸＹ平面内の二次元に拡張して考える必要がある。
【００４４】
本第１の実施形態においては、画像振分手段であるレンチキュラレンズ３はＸ軸方向にのみ画像振分効果を有する一次元レンズの集合体であり、Ｙ軸方向には画像振分効果を持たない。このため、Ｙ軸方向については、画像振分効果を持たない表示パネルと同様に考えて差し支えない。即ち、凸構造のＹ軸座標については、少なくとも一画素の範囲内であれば、異なる座標に配置されても使用者はそれを視認することができず、凸構造の存在確率が重要な要素となる。換言すれば、各画素をＹ軸と平行な線分で切断した場合、その線分上に凸構造の斜面をどの程度の割合で含むかが重要な要素となる。
【００４５】
具体的には、あるＸ軸座標において斜面が多く存在する場合には斜面が支配的であると考え、上述の説明における一次元モデルでは斜面として扱うことができる。
一方で、あるＸ軸座標において平面が多く存在する場合には、平面として扱うことができる。又、この中間の場合、例えば斜面と平面が同様に存在する場合には、斜面又は平面の存在確率に応じて扱えばよい。
【００４６】
次に、図４に基づいて、前記第１の実施形態の表示パネル１が搭載された端末装置を説明する。
図４には、上記端末装置としての携帯電話９が示されている。これらの表示パネル１と携帯電話９との関連は、表示パネル１のＸ軸方向が携帯電話９の画面の横方向となり、表示パネル１のＹ軸方向が携帯電話９の画面の縦方向となっている。
なお、前述のように、図１は表示パネル１の画面中央部における断面を−Ｙ方向から見た場合の模式図であるが、表示パネル１は携帯電話９において上述のように配置されているため、図１は携帯電話９の画面中央部における断面を、プッシュボタンが搭載された本体側、即ち通常の使用では下側から見た模式図となっている。
【００４７】
本第１の実施形態の表示パネル１は、以上のような構成、作用を有するので、次のような効果を得ることができる。
（１）表示パネル１は、一次元の画像振分効果を有するレンチキュラレンズ３を備えた反射型の表示パネルであり、画像振分方向に隣接する表示単位を構成する画素の反射板５が、互いに補償し合う関係の凸構造５１を有している。そのため、レンチキュラレンズ３と反射板５Ａの凸構造５１との組み合わせに起因する画質の低下を、画像振分方向に隣接する表示単位同士で補償し合い、抑制することができる。その結果、高画質化が可能となる。
【００４８】
（２）本第１の実施形態の表示パネル１によれば、反射表示の高画質化が可能となるだけでなく、画像振分用の光学手段はその振分性能を最大限に発揮できる条件にでき、画像振分効果への悪影響もない。
【００４９】
（３）本第１の実施形態の表示パネル１によれば、各画素の凸構造５１の配置は変化させるが、凸構造５１自体は特に微細化が不要であるため、汎用の凹凸製造技術を適用できる。
【００５０】
（４）本第１の実施形態の表示パネル１によれば、画素が高精細化した場合においても、同様に各画素の凸構造５１の配置を変化させて凸構造５１の影響を補償し合うことができ高画質化が可能となるため、高精細化への対応が容易である。
【００５１】
（５）本第１の実施形態の表示パネル１によれば、各表示単位を構成する画素が同じ凸構造５１の反射板５Ａを有しているので、使用者がある表示単位を視認した際に、その表示単位の左眼用画素４Ｌａ及び右眼用画素４Ｒａ等の反射光を同様の状態にすることができ、使用者の違和感をより低減することができるため、高画質化が可能となる。これは、使用者が両眼で異なる明るさの表示領域を観察した場合、両眼融合時に混乱が発生し、表示領域が点滅しているように認識して違和感を覚えるからである。
本実施形態における表示パネルは、画像振分手段を備えた表示パネルであり、画像振分方向に隣接する表示単位を構成する画素の反射板が、互いに補償し合う関係の凸構造を有しているものとして説明した。レンチキュラレンズや後述のパララックスバリアなどの画像振分手段に着目すれば、各シリンドリカルレンズやスリットなどの画像振分手段の光学要素に対応して配置された画素が、この画像振分手段の光学要素との相対位置関係に応じて、異なるパターンの凹凸形状を有することになる。より望ましくは、この画像振分手段の各光学要素との相対位置関係が同じである各画素が、互いに補償し合う関係の凹凸反射板を有することになる。また、観察面においては、ある観察位置に光を出射する各画素が、凹凸形状の異なる反射板を有し、より望ましくは互いに補償し合う関係の凹凸反射板を有することになる。
【００５２】
なお、本第１の実施形態では前述のような構成とされ、かつ前述のような作用、効果を得ることができるが、前記実施形態に限定されるものではなく、本発明の範囲内であれば構成、作用等を変更してもかまわないものである。
例えば、本第１の実施形態の作用の説明では、表示パネル１に入射する外光のうち、ある平行光成分の光８９に着目したが、実際に表示パネルを使用する環境としては、平行光だけでなく拡散光が入射する場合など様々である。ただし、前述の説明から明らかなように、本発明の課題は、外光やスポットライト光など、平行光に近い光が入射した場合に特に顕著となるため、このような状況下において本発明の効果を大きく発揮することができる。又は、略平行光を発する照明手段を表示装置に配置する際に、非常に高い画質改善効果を実現することができる。
【００５３】
又、本第１の実施形態においては、画像振分手段の画像振分方向（Ｘ軸方向）に隣接する表示単位の画素が、表示単位毎に互いに補償し合う構造の反射板５Ａを有するものとして説明したが、本発明の実施形態はこれに限定されるものではなく、３個以上の表示単位を用いて補償し合う構造であってもよい。
これは特に、反射板の凸パターンが２種類だけでは十分に補償できず、より一層の高画質化が必要な場合などに有効である。
更に、前記表示単位は正方形の中に形成されていてもよい。なお、正方形の中に形成するとは、前記表示単位におけるＸ軸方向のピッチがＹ軸方向のピッチと同じであることを意味する。換言すれば、前記表示単位が繰り返し配列される方向において、そのピッチが、全て同じである。
【００５４】
又、反射板５Ａは凸構造５１を有するものとして説明したが、凸構造５１を有するということは、反射板５Ａが凹凸形状を有しこの凸の部分を凸構造５１と称しているのであり、凹構造を有するものとしても本発明の実施形態を同様に適用できるのは明らかである。また、レンズ面を内側に配置することになるため、レンズ面をキズや汚れから保護することができる。
【００５５】
本第１実施形態におけるレンチキュラレンズ３は、レンズ面が使用者側の方向である＋Ｚ方向の面に配置された場合の構造について説明したが、本発明の実施形態はこれに限定されるものではなく、レンズ面が表示パネル側の方向である−Ｚ方向の面に配置されていてもよい。この場合、レンズ−画素間距離を小さくすることができるため、高精細化への対応で有利である。
【００５６】
又、本実施形態における画像分離手段はレンチキュラレンズ３を使用するものとして説明したが、本発明の実施形態はこれに限定されるものではなく、画像分離手段としてスリットアレイを使用したパララックスバリア方式に対しても適用することができる。
レンチキュラレンズ３が高さ方向の構造を有する三次元形状であるのに対して、上記パララックスバリアは平面的な二次元形状を有し、フォトリソグラフィ技術を用いて容易に作製可能であるため、低コスト化が可能となる。ただし上述のように、レンチキュラレンズ３を使用した場合には、画像分離手段による光の損失が発生しない。従って、明るい反射表示を実現する点ではレンチキュラレンズ方式の方が有利である。
【００５７】
更に又、本第１実施形態においては、端末装置として携帯電話９を例示したが、本発明はこれに限定されず、ＰＤＡ、パーソナルＴＶ、ゲーム機、デジタルカメラ、デジタルビデオカメラ及びノート型パーソナルコンピュータ等の各種の携帯端末装置に適用することができる。
【００５８】
又、携帯端末装置のみならず、キャッシュディスペンサ、自動販売機、モニタ及びテレビジョン受像機等の各種の固定型の端末装置に適用することもできる。
【００５９】
更に、本第１実施形態における表示パネル１は、反射型液晶表示パネルを使用するものとして説明したが、本発明の実施形態はこれに限定されるものではなく、凹凸構造を有する反射板を使用する表示パネルに対して、効果的に適用することができる。例えば、反射表示だけでなく透過表示も可能な半透過型液晶表示パネルを使用する場合について適用することもできる。
【００６０】
このような半透過型液晶表示パネルにおいては、透過領域の比率が大きい微反射型液晶表示パネル、及び反射領域の比率が大きい微透過型液晶表示パネル等が挙げられるが、本発明の実施形態は特に、透過表示用の面積よりも反射表示用の面積が小さい微反射型液晶表示パネルに対して、効果的に適用することができる。これは、反射表示用の面積が小さくなると、反射板の面積も小さくなるため、凸構造の配置が大幅に限定され、各画素だけでは対応が困難になるからである。
【００６１】
次に、図５，６に基づいて本発明の第２の実施形態を説明する。
なお、本第２の実施形態、及び以下に説明する第３〜１２の実施形態において、前記第１の実施形態と同一の構造、同一部材には、同一の符号を付すと共に、それらの詳細な説明は省略または簡略化する。又、レンズの作用についても前記第１の実施形態と同一であるため、説明は省略する。
【００６２】
図５は本第２の実施形態に係る表示装置を示す断面図であり、図６は第２の実施形態に係る表示パネルの画素を示す上面図である。
これらの図５，６に示すように、本第２の実施形態は、表示パネル１１が微反射型液晶表示パネルとなっているものである。
【００６３】
図５に示すように、本第２の実施形態の表示装置２においては、表示パネル１１の背面側、即ち−Ｚ側にバックライトユニット８が配置されている。表示パネル１１は、前述のように反射板よりも大きな透過用表示領域を有する微反射型液晶表示パネル１１であり、バックライトユニット８はこの透過表示用の光を発する面状光源である。そして、図５中、符号１０Ａは例えば半透明の基板を表す。
なお、図５は、微反射型液晶表示パネル１１の反射用表示領域を切断する断面を示している。
【００６４】
又、本第２の実施形態の表示パネル１１は、各表示単位に透過表示領域を有しており、これらの透過表示領域は、レンチキュラレンズ３を構成するシリンドリカルレンズ３ａとの位置関係に応じて、左眼用画素透過表示領域４１Ｌｔ又は右眼用画素透過表示領域４１Ｒｔとなっている。
【００６５】
透過表示領域と反射表示領域は、各画素の＋Ｙ方向側の略１／４の領域を反射表示領域が占め、残りの−Ｙ方向側の３／４の領域を透過表示領域が占めている。反射表示領域における反射板５Ｂの凸構造５１は、前述の第１実施形態と同様に配置されている。
即ち、左眼用画素４１Ｌａ及び右眼用画素４１Ｒａは、対応するシリンドリカルレンズ３ａとの位置関係が異なるため、夫々左眼用の画素及び右眼用の画素として作用するが、反射板５Ｂの凸構造５１は、どちらの画素も同じパターンで配置されている。
【００６６】
又、上記と同様に、左眼用画素４１Ｌｂ及び右眼用画素４１Ｒｂにおいても、反射板５Ｂの凸構造５１は、両画素で同じように配置されている。ただし、左眼用画素４１Ｌａ及び右眼用画素４１Ｒａと、左眼用画素４１Ｌｂ及び右眼用画素４１Ｒｂは凸構造５１が異なるパターンで配置されている。特に各画素における凸構造５１の配置パターンに着目すると、左眼用画素４１Ｌａ及び右眼用画素４１Ｒａの凸構造５１が形成されていない場所に対応して、左眼用画素４１Ｌｂ及び右眼用画素４１Ｒｂの凸構造５１が形成されている。
【００６７】
即ち、左眼用画素４１Ｌａ及び右眼用画素４１Ｒａからなる表示単位と、左眼用画素４１Ｌｂ及び右眼用画素４１Ｒｂからなる表示単位とを比較すると、凸構造５１が互いに補償し合うように配置されている。なお、本第２の実施形例では、画素の大部分を透過表示領域が占めるため、反射板５Ｂの面積は小さく、この結果、Ｙ軸方向には凸構造５１が一行しか配列されていない。
【００６８】
本第２の実施形態の表示装置２における表示パネル１１は、以上のような構成、作用を有するので、次のような効果を得ることができる。
（６）本第２の実施形態によれば、反射板５Ｂの凸構造５１により、隣接する表示単位の補償をすることができるため、画像振分手段と反射板５の凸構造５１の組み合わせに起因する画質の低下を抑制することができる。ここで、本第２の実施形態を適用しない場合には、凸構造を微細化するか、画像振分手段の画像振分効果を低下させるように配置する必要があるが、前者はプロセスの改良が必要となり汎用の凹凸製造技術では対応できない。又、後者では画像振分効果が損なわれる問題が発生する。特に、本実施形態においては、反射表示を改善できるため、透過表示の性能を損なわれることはない。
【００６９】
（７）又、上述のように、凸構造５１により隣接する表示単位の補償をすることができるため、反射表示において優れた表示品質を有するだけでなく、特に画像振分用の光学手段の性能を損なわずに、汎用の凹凸製造技術でも容易に高精細化、半透過型への対応が容易となる。
【００７０】
なお、本実施形態における表示パネル１１は、液晶表示パネル以外の反射型表示パネルに対しても同様に適用することができる。又、液晶表示パネルの駆動方法は、ＴＦＴ（Thin  Film  Transistor：薄膜トランジスタ）方式及びＴＦＤ（Thin  Film  Diode：薄膜ダイオード）方式等のアクティブマトリクス方式でもよいし、ＳＴＮ（Super  Twisted  Nematic  liquid  crystal）方式等のパッシブマトリクス方式であってもよい。
【００７１】
次に、図７〜９に基づいて本発明の第３の実施形態について説明する。
図７は本第３の実施形態に係る表示パネル１２の画素を示す上面図であり、図８は図７に示すＡ−Ａ線における表示パネル１２を示す断面図であり、図９は図７に示すＢ−Ｂ線における表示パネル１２を示す断面図である。
【００７２】
前述の第１の実施形態においては、表示単位が左眼用画素及び右眼用画素から構成され、画像振分方向に配列する表示単位に対して反射板の凸構造が補償し合う関係に配置されていた。
これに対して、本第３の実施形態においては、表示単位が４つの画素、即ち第１視点用画素、第２視点用画素、第３視点用画素、第４視点用画素から構成されている。
又、画像振分方向（Ｘ軸方向）に配列する表示単位の反射板５Ｃの凸構造５１は夫々同一のパターンで配置されている。一方、表示面内において画像振分方向と直交する方向（Ｙ軸方向）に配列する表示単位の反射板５Ｃは、凸構造５１同士が補償し合うように配置されている点を特徴とする。
【００７３】
即ち、図７に示すように、本第３の実施形態に係る表示パネル１２においては、第１視点用画素４２ＦＩａ、第２視点用画素４２ＳＥａ、第３視点用画素４２ＴＨａ、第４視点用画素４２ＦＯａから構成される表示単位が、レンチキュラレンズ３のシリンドリカルレンズ３ａと対応して配置されている。
各画素４２ＦＩａ、４２ＳＥａ、４２ＴＨａ、４２ＦＯａは、レンチキュラレンズ３の画像振分効果を利用するため、Ｘ軸方向に配列されている。このため各画素４２ＦＩａ、４２ＳＥａ、４２ＴＨａ、４２ＦＯａからの光は、レンズの画像振分効果により各視点に向けて出射されることになる。
【００７４】
又、Ｘ軸方向に隣接する表示単位においては、この第１視点用画素４２ＦＩａ、第２視点用画素４２ＳＥａ、第３視点用画素４２ＴＨａ、第４視点用画素４２ＦＯａから構成される同じ表示単位が繰り返し配置されている。
更に、図７及び図８に示すように、第１視点用画素４２ＦＩａ、第２視点用画素４２ＳＥａ、第３視点用画素４２ＴＨａ、第４視点用画素４２ＦＯａは反射板５Ｃに凸構造５１を有するが、このパターンは４画素で同じである。
【００７５】
一方で、図７及び図９に示すように、上述の第１視点用画素４２ＦＩａ、第２視点用画素４２ＳＥａ、第３視点用画素４２ＴＨａ、第４視点用画素４２ＦＯａからなる表示単位のＹ軸方向に隣接する表示単位には、第１視点用画素４２ＦＩｂ、第２視点用画素４２ＳＥｂ、第３視点用画素４２ＴＨｂ、第４視点用画素４２ＦＯｂからなる表示単位が配置されている。
【００７６】
このＹ軸方向における２種類の表示単位では、反射板５Ｃの凸構造５１のパターンが異なっており、夫々補償し合うようなパターンとなっている。Ｙ軸方向に対しては、この２種類の表示単位が繰り返し配置されている。
【００７７】
本第３の実施形態の表示パネル１２では、以上のような構成、作用を有するので、前記（１）〜（４）と略同様の効果を得ることができる他、次のような効果を得ることができる。
（８）本第３の実施形態の表示パネル１２では、第１視点用画素４２ＦＩａ、第２視点用画素４２ＳＥａ、第３視点用画素４２ＴＨａ、第４視点用画素４２ＦＯａの４視点を有する。これにより、４視点で異なる表示が実現できるので、特に立体画像を表示した場合には、左右２視点の場合よりも広い角度範囲で立体視することができる。
【００７８】
（９）本第３の実施形態の表示パネル１２では、Ｙ軸方向の隣接画素を用いて補償しているため、視点数の多い多視点表示パネルに好適に適用でき、高画質化が可能となる。
ここで、視点数を増やす場合、Ｘ軸方向に多数の画素を配置する必要があるため、Ｘ軸方向における表示単位のピッチが粗くなる傾向にあり、Ｘ軸方向に隣接する表示単位を用いて補償し合う方法では、その補償効果が低下するが、本第３の実施形態では、前述のような構成となっているので、そのような問題点を解消できる。
【００７９】
（１０）例えば、多視点化に伴い、Ｘ軸方向の画素ピッチをＹ軸方向のピッチより小さくした場合には、Ｘ軸方向における表示単位のピッチが粗くなる問題は低減できるものの、Ｘ軸方向の画素密度が高くなり凸構造の配置の自由度が低下する。この結果、凸構造と画像振分手段との組み合わせによる問題はより深刻となるが、本第３の実施形態では、前述のように隣接画素を用いて補償できるため、この問題の影響を低減することができる。即ち、本実施形態は、レンチキュラレンズなどの画像振り分け手段の画像分離方向における画素ピッチが、その直交方向における画素ピッチよいも小さい場合に、特に好適に適用することができる。
【００８０】
なお、本第３の実施形態においては、一表示単位に４個の画素が設けられた４眼式立体表示装置の場合について説明したが、本発明の実施形態はこの視点数に限定されるものではなく、一表示単位が他の画素数から構成される場合にも同様に適用可能である。
即ち、Ｎ眼式（Ｎは２より大きい整数）に適用可能である。また、Ｎは整数に限定されない。例えば、Ｎが小数の場合についても、同様に適用することができる。
【００８１】
次に、図１０〜１２に基づいて本発明の第４の実施形態について説明する。
図１０は本第４の実施形態に係る表示パネルの画素を示す上面図であり、図１１は図１０に示すＡ−Ａ線における表示パネルを示す断面図であり、図１２は図１０に示すＢ−Ｂ線における表示パネルを示す断面図である。
【００８２】
前述の本発明の第１の実施形態においては、表示単位が左眼用画素及び右眼用画素から構成され、画像振分方向（Ｘ軸方向）に配列する表示単位に対して反射板５Ａの凸構造５１が補償し合う関係に配置されていた。
これに対して、本第４の実施形態においては、画像振分方向に隣接する表示単位の反射板５Ｄは、凸構造５１同士が補償し合うパターンに形成され、更に画像振分方向（Ｘ軸方向）と直交する方向（Ｙ軸方向）に隣接する表示単位の反射板５Ｄも、凸構造５１同士が補償し合うパターンに形成されている。
即ち、本第４の実施形態においては、縦横に隣接する表示単位において反射板５Ｄの凸構造５１が補償するパターンになるよう配置され、反射板５Ｄの凸構造５１が異なる２種類の表示単位が市松模様を形成している点を特徴とする。
【００８３】
即ち、図１０に示すように、本実施形態に係る表示パネル１３においては、レンチキュラレンズ３のシリンドリカルレンズ３ａと対応して、左眼用画素及び右眼用画素からなる表示単位が配置されている。このうち、レンチキュラレンズ３の画像振分方向であるＸ軸方向に着目すると、左眼用画素４Ｌａ及び右眼用画素４Ｒａからなる表示単位と、左眼用画素４Ｌｂ及び右眼用画素４Ｒｂからなる表示単位が、交互に配置されている。
なお、これらの画素は前述の第１実施形態と全く同様であり、反射板５Ｄの凸構造５１のパターンが異なっており、夫々補償し合うようなパターンとなっている。
【００８４】
次に、画像振分方向（Ｘ軸方向）と直交する方向であるＹ軸方向に着目すると、左眼用画素４Ｌａ及び右眼用画素４Ｒａからなる表示単位の隣には、左眼用画素４Ｌｂ及び右眼用画素４Ｒｂからなる表示単位が配置され、この２種類の表示単位がＹ軸方向に対しても交互に配置されている。
この結果、反射板５Ｄの凸構造５１のパターンが異なるこの２種類の表示単位は、市松模様を形成して配置されている。
【００８５】
本第４の実施形態の表示パネル１３では、以上のような構成、作用を有するので、前記（１）〜（４）と略同様の効果を得ることができる他、次のような効果を得ることができる。
（１１）表示パネル１３における反射板５Ｄの凸構造５１のパターンが、Ｘ軸方向及びＹ軸方向において夫々補償し合うようなパターンとなっているので、Ｘ軸方向に隣接する表示単位の補償効果を用いて画質の低下を抑制できるだけでなく、Ｙ軸方向に隣接する表示単位の補償効果も用いることができる。この結果、前述の第１の実施形態よりも、補償の効果を大きく発揮することができ、高画質化が可能となる。
【００８６】
次に、図１３〜１５に基づいて本発明の第５の実施形態について説明する。
図１３は本実施形態に係る表示パネルの画素を示す上面図であり、図１４は図１３に示すＡ−Ａ線における表示パネルを示す断面図であり、図１５は図１３に示すＢ−Ｂ線における表示パネルを示す断面図である。
【００８７】
本第５の実施形態においては、前述の第１実施形態と比較して、カラー表示用の画素が設けられ、カラーの反射表示が可能である点が大きく異なる。なお、本第５の実施形態における色配置は、画像振分方向（Ｘ軸方向）に対して赤青緑の３原色が交互に配列されている。又、反射板５Ｅの凸構造５１は、画像振分方向と直交する方向においてのみ補償し合うように配置されている。
【００８８】
即ち、図１３及び図１４に示すように、本第５の実施形態に係る表示パネル１４においては、レンチキュラレンズ３のあるシリンドリカルレンズ３ａに対応して、赤色右眼用画素４３ＲＲａと緑色左眼用画素４３ＬＧａが配置されている。
更にその隣接するシリンドリカルレンズ３ａに対応して、青色右眼用画素４３ＲＢａと赤色左眼用画素４３ＬＲａが配置されている。同様に、更に隣接するシリンドリカルレンズ３ａに対応して、緑色右眼用画素４３ＲＧａと青色左眼用画素４３ＬＢａが配置されている。
【００８９】
又、図１３及び図１５に示すように、赤色右眼用画素４３ＲＲａの−Ｙ方向には赤色右眼用画素４３ＲＲｂが隣接して配置され、この結果Ｙ軸方向には赤色右眼用画素４３ＲＲａと赤色右眼用画素４３ＲＲｂとが交互に配置されている。
上述と同様に、緑色左眼用画素４３ＬＧａ、青色右眼用画素４３ＲＢａ、赤色左眼用画素４３ＬＲａ、緑色右眼用画素４３ＲＧａ、青色左眼用画素４３ＬＢａの−Ｙ軸方向には、夫々緑色左眼用画素４３ＬＧｂ、青色右眼用画素４３ＲＢｂ、赤色左眼用画素４３ＬＲｂ、緑色右眼用画素４３ＲＧｂ、青色左眼用画素４３ＬＢｂが配置され、Ｙ軸方向に対して夫々交互に配置されている。なお、赤色右眼用画素４３ＲＲａと赤色右眼用画素４３ＲＲｂとは、反射板５Ｅの凸構造５１が補償し合うように配置されている。
【００９０】
更に、緑色左眼用画素４３ＬＧａと緑色左眼用画素４３ＬＧｂ、青色右眼用画素４３ＲＢａと青色右眼用画素４３ＲＢｂ、赤色左眼用画素４３ＬＲａと赤色左眼用画素４３ＬＲｂ、緑色右眼用画素４３ＲＧａと緑色右眼用画素４３ＲＧｂ、青色左眼用画素４３ＬＢａと青色左眼用画素４３ＬＢｂの関係も同様である。
各画素の色は、例えば、各画素に色フィルタが設けられ、この色フィルタの光吸収により実現される。
【００９１】
本第５の実施形態の表示パネル１４では、以上のような構成、作用を有するので、前記（１）〜（４）と略同様の効果を得ることができる他、次のような効果を得ることができる。
（１２）本実施形態の表示パネル１４では、各画素に色フィルタが設けられ、この色フィルタの光吸収によりカラー表示も可能となる。特に、本第５の実施形態の構造のように、色配列の方向（Ｘ軸方向）と直交する方向（Ｙ軸方向）に対して、反射板５Ｅの凸構造５１が補償し合うように配置した場合には、凸構造５１の違いにより色毎に違いが発生するのを防止することができるため、高画質化が可能となる。
【００９２】
次に、図１６〜１８に基づいて本発明の第６の実施形態について説明する。
図１６は本第６の実施形態に係る表示パネル１５の画素を示す上面図であり、図１７は図１６に示すＡ−Ａ線における表示パネル１５を示す断面図であり、図１８は図１６に示すＢ−Ｂ線における表示パネル１５を示す断面図である。
【００９３】
本第６の実施形態においては、前述の第５の実施形態と比較して、カラー表示用の画素の配列パターンが異なる。即ち、色の配列は前述の第５の実施形態と同じであるが、反射板５Ｆの凸構造５１が画像振分方向（Ｘ軸方向）と直交する方向（Ｙ軸方向）のみならず、画像振分方向（Ｘ軸方向）においても補償し合うように配置されている。
【００９４】
図１６及び図１７に示すように、本第６の実施形態に係る表示パネル１５においては、レンチキュラレンズ３のあるシリンドリカルレンズ３ａに対応して、赤色右眼用画素４３ＲＲａと緑色左眼用画素４３ＬＧａが配置されている。更にその隣接するシリンドリカルレンズ３ａに対応して、青色右眼用画素４３ＲＢｂと赤色左眼用画素４３ＬＲｂが配置されている。同様に、更に隣接するシリンドリカルレンズ３ａに対応して、緑色右眼用画素４３ＲＧａと青色左眼用画素４３ＬＢａが配置されている。
【００９５】
又、図１６及び図１８に示すように、赤色右眼用画素４３ＲＲａと緑色左眼用画素４３ＬＧａとの−Ｙ方向には夫々、赤色右眼用画素４３ＲＲｂと緑色左眼用画素４３ＬＧｂとが配置されている。
更に、青色右眼用画素４３ＲＢｂと赤色左眼用画素４３ＬＲｂとの−Ｙ方向とには夫々、青色右眼用画素４３ＲＢａと赤色左眼用画素４３ＬＲａが配置され、緑色右眼用画素４３ＲＧａと青色左眼用画素４３ＬＢａとの−Ｙ方向には、緑色右眼用画素４３ＲＧｂと青色左眼用画素４３ＬＢｂとが夫々配置されている。
即ち、組となる左眼用画素及び右眼用画素の反射板５Ｆの凸構造５１のパターンは同じものが使用され、この組の単位で隣接する凸構造５１のパターンが、補償し合うように配置されている。
なお、本実施形態における上記以外の構成は、前述の第５の実施形態と同様である。
【００９６】
本第６の実施形態の表示パネル１５では、以上のような構成、作用を有するので、前記（１）〜（４）、及び（１１）と略同様の効果を得ることができる他、次のような効果を得ることができる。
（１３）本第６の実施形態の表示パネル１５では、前述の本発明の第５の実施形態と比較して、色配列方向にも異なるパターンの凹凸構造を有しているため、凹凸構造の違いに起因する色の違いが発生する可能性が高まるが、凹凸構造の影響を二次元で補償し合うことができ、更に最も空間周波数が高くなる配置で補償しているため、補償の効果を最大にすることができる。
【００９７】
次に、図１９〜２１に基づいて本発明の第７の実施形態について説明する。
図１９は本第７の実施形態に係る表示パネル１６の画素を示す上面図であり、図２０は図１９に示すＡ−Ａ線における表示パネル１６を示す断面図であり、図２１は図１９に示すＢ−Ｂ線における表示パネル１６を示す断面図である。
【００９８】
本第７の実施形態においては、前述の第５の実施形態と比較して、カラー表示用の画素の配列パターンが異なる。即ち、色の配列は前述の第５の実施形態と異なり、画像振分方向（Ｘ軸方向）と直交する方向（Ｙ軸方向）に対して赤青緑の３原色が交互に配列されている。又、反射板５Ｇの凸構造５１は、画像振分方向（Ｘ軸方向）において補償し合うように配置されている。
【００９９】
即ち、図１９及び図２０に示すように、本第７の実施形態に係る表示パネル１６においては、レンチキュラレンズ３のあるシリンドリカルレンズ３ａに対応して、赤色右眼用画素４３ＲＲａと赤色左眼用画素４３ＬＲａが配置されている。更にその隣接するシリンドリカルレンズ３ａに対応して、赤色右眼用画素４３ＲＲｂと赤色左眼用画素４３ＬＲｂが配置されている。
【０１００】
又、赤色右眼用画素４３ＲＲａ、赤色左眼用画素４３ＬＲａ、赤色右眼用画素４３ＲＲｂ、赤色左眼用画素４３ＬＲｂの−Ｙ方向には、夫々緑色右眼用画素４３ＲＧａ、緑色左眼用画素４３ＬＧａ、緑色右眼用画素４３ＲＧｂ、緑色左眼用画素４３ＬＧｂが隣接配置されており、更に−Ｙ方向には夫々青色右眼用画素４３ＲＢａ、青色左眼用画素４３ＬＢａ、青色右眼用画素４３ＲＢｂ、青色左眼用画素４３ＬＢｂが隣接配置されている。そして、Ｙ軸方向に対しては、この赤青緑３色の画素が、繰り返し配列されている。
【０１０１】
又、図２０又は図２１に示すように、反射板５Ｇの凸構造５１は画像振分方向（Ｘ軸方向）において補償し合うように配置されている。即ち、右眼用画素と左眼用画素を組として、Ｘ軸方向に隣接する組では異なるパターンが交互に配置されている。
なお、本実施形態における上記以外の構成は、前述の第４の実施形態と同様である。
【０１０２】
本第７の実施形態の表示パネル１６では、以上のような構成、作用を有するので、前記（１）〜（４）、（１０）と略同様の効果を得ることができる他、次のような効果を得ることができる。
（１４）本第７の実施形態の表示パネル１６では、Ｘ軸方向と直交する方向に各色の画素が繰り返し配置されているので、カラー表示が実現でき、更にＸ軸方向に隣接する左右画素の組の補償効果を用いて画質の低下を抑制できるだけでなく、各画素の表示に使用できる領域の割合を高めることができ、明るい表示が可能となる。
【０１０３】
（１５）本第７の実施形態の表示パネル１６では、前記第６の実施形態と比較して、同一の精細度をより大きなレンズピッチ、即ち３倍のレンズピッチで実現することができるため、レンズの成型が容易になり、低コスト化が可能となる。
【０１０４】
（１６）本第７の実施形態の表示パネル１６では、レンズと画素との位置合わせの誤差許容範囲も３倍に広がるため、表示パネルの製造歩留まりを向上することができる。
【０１０５】
次に、図２２〜２４に基づいて本発明の第８の実施形態について説明する。
図２２は本第８の実施形態に係る表示パネル１７の画素を示す上面図であり、図２３は図２２に示すＡ−Ａ線における表示パネル１７を示す断面図であり、図２４は図２２に示すＢ−Ｂ線における表示パネル１７を示す断面図である。
【０１０６】
本第８の実施形態においては、前述の第７の実施形態と比較して、色配列は同様であるが、反射板５Ｈの凸構造５１の配置パターンが異なる。即ち、色の配列は、画像振分方向（Ｘ軸方向）と直交する方向（Ｙ軸方向）に対して赤青緑の３原色が交互に配列されており、反射板５Ｈの凸構造５１もＸ軸方向と直交するＹ軸方向において補償し合うように配置されている。
【０１０７】
図２２及び図２３に示すように、本第８の実施形態に係る表示パネル１７においては、レンチキュラレンズ３のあるシリンドリカルレンズ３ａに対応して、赤色右眼用画素４３ＲＲａと赤色左眼用画素４３ＬＲａが配置されている。赤色右眼用画素４３ＲＲａの−Ｙ方向には緑色右眼用画素４３ＲＧｂが隣接して配置され、更に−Ｙ方向に向かって、青色右眼用画素４３ＲＢａ、赤色右眼用画素４３ＲＲｂ、緑色右眼用画素４３ＲＧａ、青色右眼用画素４３ＲＢｂがこの順に並んで配置されている。
【０１０８】
又、赤色左眼用画素４３ＬＲａから−Ｙ方向に向かって、緑色左眼用画素４３ＬＧｂ、青色左眼用画素４３ＬＢａ、赤色左眼用画素４３ＬＲｂ、緑色左眼用画素４３ＬＧａ、青色左眼用画素４３ＬＢｂがこの順に並んで配置されている。
なお、本第８の実施形態における上記以外の構成は、前述の第７の実施形態と同様である。
【０１０９】
本第８の実施形態の表示パネル１７では、以上のような構成、作用を有するので、前記（１）〜（４）、（１３）〜（１５）と略同様の効果を得ることができる他、次のような効果を得ることができる。
（１７）本第８の実施形態の表示パネル１７では、Ｘ軸方向と直交するＹ軸方向に各色の画素が繰り返し配置され、この色画素の二つを組として凸構造５１の影響を低減することができる。特に、各画素のＹ軸方向のピッチがＸ軸方向のピッチよりも小さい場合に効果を発揮することができる。従って、前記第７の実施形態の特徴に加えて、各画素のＹ軸方向のピッチがＸ軸方向のピッチよりも小さい場合に効果を発揮することができる。
特に、左右の２眼式表示パネルにおいては、Ｘ軸方向のピッチよりもＹ軸方向のピッチが小さくなるため、凸構造５１の補償を最も微細なピッチで実現することができ、補償効果を最も高めることができる。これは即ち、画素ピッチが相対的に大きな低解像度の表示パネルにおいて好適に適用可能であることも意味する。
【０１１０】
なお、本第８の実施形態においては、反射板５Ｈの凸構造５１は画像振分方向と直交するＹ軸方向に配列する隣接画素で補償し合うように配置したが、本発明の実施形態はこれに限定されるものではなく、色の周期に合わせて補償し合うように配置することもできる。
即ち、Ｙ軸方向に隣接する赤青緑の一組の画素と、そのＹ軸方向に隣接する赤青緑の一組の画素とで補償し合うように配置してもよい。これにより、赤青緑の各色画素の凸構造の配置を同じものにすることができるため、色への悪影響を低減することができる。
このように色を組にする方法は、特に高精細の表示パネルで有利となるが、これは画素ピッチが小さくなると、隣接補償し合う画素の範囲も小さくできるため、特に赤青緑の画素を組にして扱っても、その差が視認できなくなり、色が改善される効果が大きく発揮されるからである。
【０１１１】
更には、前述の本発明の第７の実施形態と組み合わせて、画像振分方向でも補償し合うような市松模様の配置にしてもよく、これによれば、画質改善の効果をより発揮することができる。
【０１１２】
次に、図２５〜２７に基づいて本発明の第９の実施形態について説明する。
図２５は本第９の実施形態に係る表示パネル１８の画素を示す上面図であり、図２６は図２５に示すＡ−Ａ線における表示パネル１８を示す断面図であり、図２７は図２５に示すＢ−Ｂ線における表示パネル１８を示す断面図である。
【０１１３】
本第９の実施形態においては、前述の第８の実施形態と比較して、色配列は同様であるが、画素の形状と反射板の凸構造の配置パターンが異なる。即ち、色の配列は、画像振分方向（Ｘ軸方向）と直交する方向（Ｙ軸方向）に対して赤青緑の３原色が交互に配列されている。
【０１１４】
一方で、前述の第８の実施形態では画素の形状は四角形を基本としていたのに対し、本第９の実施形態では平行四辺形を基本としている。又、反射板５Ｉの凸構造５１の配置パターンは基本的に一種類のものが対称配置されているが、画像振分手段であるレンチキュラレンズ３を構成するシリンドリカルレンズ３ａとの相対位置が異なるよう配置されているため、Ｘ軸方向と直交するＹ軸方向において補償し合う効果を有している。
【０１１５】
図２５及び図２６に示すように、本第９の実施形態に係る表示パネル１８においては、レンチキュラレンズ３の所定のシリンドリカルレンズ３ａに対応して、赤色右眼用画素４４ＲＲｐｘと赤色左眼用画素４４ＬＲｐｘが配置されている。
この二つの画素は、Ｘ軸方向に隣接する画素との境界がＹ軸方向から傾いて形成されており、一例では＋Ｙ方向から＋Ｘ方向に向かって略１５度回転して形成されている。
【０１１６】
又、Ｙ軸方向に隣接する画素との境界はＸ軸方向と平行に形成されている。即ち、これらの画素４４ＲＲｐｘ等は平行四辺形状を有しており、この結果、これらの画素４４ＲＲｐｘ等の表示に寄与する領域も平行四辺形状をなしている。
赤色右眼用画素４４ＲＲｐｘの−Ｙ軸方向には緑色右眼用画素４４ＲＧｍｘが隣接配置され、赤色左眼用画素４４ＬＲｐｘの−Ｙ軸方向には緑色左眼用画素４４ＬＧｍｘが隣接配置されている。この二つの緑色の画素は、＋Ｙ軸方向に隣接する二つの赤色の画素と比較すると、Ｘ軸方向に隣接する画素との境界が＋Ｙ方向から−Ｘ方向に向かって略１５度回転して形成されている。この傾斜の方向は、前述の赤色の画素とは反対の方向である。
【０１１７】
更に、緑色右眼用画素４４ＲＧｍｘの−Ｙ軸方向には青色右眼用画素４４ＲＢｐｘが隣接配置され、緑色左眼用画素４４ＬＧｍｘの−Ｙ軸方向には青色左眼用画素４４ＬＢｐｘが隣接配置されている。この二つの青色の画素は、Ｘ軸方向に隣接する画素との境界が＋Ｙ方向から＋Ｘ方向に向かって１５度回転して形成されており、上述の赤色と同じ形状を有している。本第８の実施形態においては、上述のようにＸ軸方向に隣接する画素の境界が、一行毎に傾斜方向が異なって配置されているために、Ｙ軸方向に隣接する画素に着目すると２画素の組を構成している。
【０１１８】
又、青色右眼用画素４４ＲＢｐｘ及び青色左眼用画素４４ＬＢｐｘの−Ｙ方向には順に、赤色右眼用画素４４ＲＲｍｘ及び赤色左眼用画素４４ＬＲｍｘ、緑色右眼用画素４４ＲＧｐｘ及び緑色左眼用画素４４ＬＧｐｘ、青色右眼用画素４４ＲＢｍｘ及び青色左眼用画素４４ＬＢｍｘが配置されている。
【０１１９】
図２６及び図２７に示すように、画像振分方向（Ｘ軸方向）に隣接する画素との境界が＋Ｙ方向から＋Ｘ方向に向かって傾斜している画素と、＋Ｙ方向から−Ｘ方向に向かって傾斜している画素とでは、凸構造の配置パターンが画像振分方向（Ｘ軸方向）と直交する方向（Ｙ軸方向）に延伸する線分に対して、線対称の関係となるように配置されている。なお、本第９の実施形態における上記以外の構成は、前述の第８の実施形態と同様である。
【０１２０】
本第９の実施形態の表示パネル１８では、以上のような構成、作用を有するので、前記（１）〜（４）、（１６）と略同様の効果を得ることができる他、次のような効果を得ることができる。
（１８）本第９の実施形態の表示パネル１８では、各画素４４ＲＲｐｘ等の表示領域が平行四辺形状に形成され、Ｙ軸方向にジグザグとなるよう配置されている。又、Ｙ軸方向に組となる画素の凸構造の配置パターンは、画像振分方向と直交する方向に延伸する線分に対して線対称の関係となるように配置されている。この結果、Ｙ軸方向に隣接する画素を用いて凸構造５１の影響を低減する補償効果を発揮することが可能となる。
【０１２１】
（１９）表示パネル１８では、各画素４４ＲＲｐｘ等の表示領域が平行四辺形状に形成され、Ｙ軸方向にジグザグとなるよう配置されているので、Ｙ軸方向に隣接する画素をＹ軸方向と平行に配置することができ、斜めに画素を配置する場合と比較して、使用者の違和感を低減することができる。これは、斜めに画素を配置すると、斜めの方向性が使用者に視認され、違和感を与えるからである。
【０１２２】
（２０）本第９の実施形態の表示パネル１８では、特に、画像振分方向（Ｘ軸方向）に隣接する画素の境界が、Ｙ軸方向から傾斜して配置されている。これにより、隣接する画素間に存在する非表示領域の影響を低減することができ、視認性を向上することが可能となる。
【０１２３】
（２１）本第９の実施形態の表示パネル１８では、画像振分方向（Ｘ軸方向）と直交する方向（Ｙ軸方向）に延びる線分で画素を切断したときの表示領域の長さを、Ｘ軸方向の任意の位置で一定とする設計が可能となり、この時には観察位置によらず非表示領域の影響を完全になくすことが可能となるため、高品質の表示が実現できる。
【０１２４】
（２２）本第９の実施形態の表示パネル１８は、特にマルチドメイン型の液晶モードに対して好適に適用することができ、広い角度範囲に渡って階調反転の発生しない広視野角表示が実現できる。これは、マルチドメイン型の液晶モードでは、様々な方向に液晶分子を駆動することによって広視野角化が可能となるが、このためには表示領域の辺を傾斜配置した方が透過率を向上できるなどの利点が発生するからである。
【０１２５】
そして、上記液晶モードの例としては、例えば、インプレインスイッチングモードやインプレインスイッチングモードと同様に横電界モードであるフリンジ・フィールド・スイッチングモード及びアドヴァンスト・フリンジ・フィールド・スイッチングモードがあり、同様に適用することができる。又、表示画素の電極構造や凹凸構造等を利用して、一画素内に透過率の分布を発生させる液晶モードに好適にも適用することができる。
【０１２６】
又、上記液晶モードの例としては、上述の各モードの他に、マルチドメイン化した垂直配向モードであるマルチドメイン・ヴァーティカル・アライメントモード、パターンド・ヴァーティカル・アライメントモード・アドヴァンスト・スーパー・ヴイモード等が挙げられる。
【０１２７】
なお、前記第９の実施形態では、Ｙ軸方向に組となる画素の凸構造５１の配置パターンが、画像振分方向（Ｘ軸方向）と直交する方向（Ｙ軸方向）に延伸する線分に対して線対称の関係となるように配置されているものとして説明したが、本発明の実施形態はこれに限定されるものではなく、回転対称に配置されていても同様の効果を発揮することができる。
そして、上述のように線対称に配置する場合には、対称軸上に対して左右等距離の位置に凸構造を配置すると、対称配置の効果を十分に発揮できないため、そのような配置は避けるのが好ましい。この際、上記対称軸からの距離は０である場合も含む。
回転対称の場合にも、回転軸が対称軸となることから同様のことが言える。
【０１２８】
次に、図２８〜３０に基づいて本発明の第１０の実施形態について説明する。
図２８は本第１０の実施形態に係る表示パネル１９の画素を示す上面図であり、図２９は図２８に示すＡ−Ａ線における表示パネル１９を示す断面図であり、図３０は図２８に示すＢ−Ｂ線における表示パネル１９を示す断面図である。
【０１２９】
本第１０の実施形態の表示パネル１９では、前述の第９の実施形態と比較して、色配列は同様であるが、画素の形状と反射板５Ｊの凸構造５１の配置パターンが異なる。即ち、色の配列は、画像振分方向（Ｘ軸方向）と直交する方向（Ｙ軸方向）に対して赤青緑の３原色が交互に配列されている。
又、前述の第９実施形態では画素の形状は平行四辺形を基本としていたのに対し、本第１０の実施形態では台形を基本としている。
【０１３０】
本第１０の実施形態の表示パネル１９では、反射板５Ｊの凸構造５１の配置パターンは基本的に一種類のものが回転対称に配置されているが、画像振分手段であるレンチキュラレンズ３を構成するシリンドリカルレンズ３ａの相対位置が異なるよう配置されており、Ｘ軸方向並びにＹ軸方向において補償し合う効果を実現している。
【０１３１】
即ち、図２８及び図２９に示すように、本第１０の実施形態に係る表示パネル１９においては、レンチキュラレンズ３の所定のシリンドリカルレンズ３ａに対応して、赤色右眼用画素４５ＲＲｕａと赤色左眼用画素４５ＬＲｄａが配置されている。赤色右眼用画素４５ＲＲｕａは、台形状の形状を有し、上辺が＋Ｙ方向を向いて配置されている。赤色左眼用画素４５ＬＲｄａも同様に台形状の形状を有し、下底が＋Ｙ方向を向いて配置されている。
【０１３２】
ここで、本第１０の実施形態における画素の命名の法則について説明する。赤色右眼用画素４５ＲＲｕａを一例にすると、数字の４５に続く最初のＲは右眼用画素であることを示し、このＲに続く次のＲは赤色用の画素であることを示している。又、後のＲに続くｕは、台形状の画素の上底が＋Ｙ方向を向いて配置されていることを示し、最後のａは反射板の凸構造の配置の種類を示している。
なお、左眼用画素は４５の次がＬであり、緑色用画素、青色用画素は夫々Ｇ、Ｂを使用している。台形の下底が＋Ｙ方向を向いて配置されている画素は、ｕではなくｄが使用されている。最後のａの代わりにｂの文字が付与されている画素は、反射板の凸構造の配置が前述のパターンａとは異なるパターンｂであることを示している。なお、パターンａとパターンｂでは、凸構造が回転対称の関係に配置されている。
【０１３３】
この命名に従って図２８を見ると、赤色右眼用画素４５ＲＲｕａ及び赤色左眼用画素４５ＬＲｄａの−Ｙ方向側には、夫々緑色右眼用画素４５ＲＧｄｂ及び緑色左眼用画素４５ＬＧｕｂが隣接配置されている。即ち、Ｙ軸方向に隣接する画素では、台形の上底同士、又は下底同士が対応して配置され、反射板５Ｊの凸構造５１の配置は回転対称となるパターンが配置されている。ただし、左眼用画素と右眼用画素における反射板５Ｊの凸構造５１は同じパターンとなるように配置されている。
【０１３４】
上記と同様に、緑色右眼用画素４５ＲＧｄｂ及び緑色左眼用画素４５ＬＧｕｂの−Ｙ方向側には、隣接順に夫々、青色右眼用画素４５ＲＢｕａ及び青色左眼用画素４５ＬＢｄａ、赤色右眼用画素４５ＲＲｄｂ及び赤色左眼用画素４５ＬＲｕｂ、緑色右眼用画素４５ＲＧｕａ及び緑色左眼用画素４５ＬＧｄａ、青色右眼用画素４５ＲＢｄｂ及び青色左眼用画素４５ＬＢｕｂがこの順に配置されている。即ち、反射板５Ｊの凸構造５１のパターンに着目すると、画像振分方向と直交する方向に対して、凸構造の影響を低減する補償効果を有している。
【０１３５】
本第１０の実施形態においては、前述の第９の実施形態と同様に、画像振分方向（Ｘ軸方向）に隣接する画素の境界がＹ軸方向から傾斜して配置され、この傾斜角はＹ軸方向に対して、時計回りの方向と反時計回りの方向とが、一画素毎に交互に配置され、Ｙ軸方向に延びるジグザグの線を形成している。
前述の第９の実施形態では、このジグザグの線はどれも同じであったが、本第１０の実施形態においては、画素が台形状を呈しているため、このジグザグの折れ曲がり方向が、隣接する画素で反対側になっている。
【０１３６】
更に、赤色右眼用画素４５ＲＲｕａと赤色左眼用画素４５ＬＲｄａが対応するシリンドリカルレンズ３ａと隣接するシリンドリカルレンズ３ａには、赤色右眼用画素４５ＲＲｕｂと赤色左眼用画素４５ＬＲｄｂが配置されている。即ち、隣接するシリンドリカルレンズ３ａに対応する画素では、反射板５Ｊの凸構造５１のパターンが異なっており、画像振分方向に対する補償効果も有している。
【０１３７】
以下、−Ｙ方向側には、隣接順に夫々、緑色右眼用画素４５ＲＧｄａ及び緑色左眼用画素４５ＬＧｕａ、青色右眼用画素４５ＲＢｕｂ及び青色左眼用画素４５ＬＢｄｂ、赤色右眼用画素４５ＲＲｄａ及び赤色左眼用画素４５ＬＲｕａ、緑色右眼用画素４５ＲＧｕｂ及び緑色左眼用画素４５ＬＧｄｂ、青色右眼用画素４５ＲＢｄａ及び青色左眼用画素４５ＬＢｕａがこの順に配置されている。
なお、本第１０の実施形態における上記以外の構成は、前述の第７の実施形態と同様である。
【０１３８】
本第１０の実施形態の表示パネル１９では、以上のような構成、作用を有するので、前記（１）〜（４）、（１６）と略同様の効果を得ることができる他、次のような効果を得ることができる。
（２３）本第１０の実施形態の表示パネル１９では、Ｘ軸方向並びにＹ軸方向に対しても、反射板５Ｊの凸構造５１が回転対称に配置されているため、凸構造５１の影響を低減する補償効果を二次元状に発揮することができ、高画質化が可能となる。
【０１３９】
（２４）本第１０の実施形態の表示パネル１９では、各画素の表示領域が台形状に形成されているため、隣接する画素間に存在する非表示領域の影響を低減することができ、視認性が向上することが可能となるうえ、表示に寄与する領域を大きく確保することができるため、明るい表示が可能となる。
【０１４０】
なお、本第１０の実施形態においては反射型表示パネルを例にとって説明したが、半透過型表示パネルに適用する場合には、各画素の上底側に反射用の表示領域を設け、下底側に透過用の表示領域を設けてもよい。
これにより、Ｙ軸方向に隣接する画素において、反射領域をまとめて配置することができ、反射板の形成等が容易になるため、高精細化が可能となる。
又、上記とは逆に、各画素の上底側に透過用の表示領域を設け、下底側に反射用の表示領域を設けてもよい。
【０１４１】
次に、図３１〜３４に基づいて本発明の第１１の実施形態について説明する。
図３１は本第１１の実施形態に係る画像振分手段であるフライアイレンズ３１を示す斜視図であり、図３２は本実施形態に係る表示パネル２０の画素を示す上面図であり、図３３は図３２に示すＡ−Ａ線における表示パネル２０を示す断面図であり、図３４は図３２に示すＢ−Ｂ線における表示パネル２０を示す断面図である。
【０１４２】
本第１１の実施形態においては、前述の第１の実施形態が画像振分手段としてレンチキュラレンズ３を用いていたのに対して、フライアイレンズ３１を用いた点が異なる。
【０１４３】
前述のように、レンチキュラレンズ３はシリンドリカルレンズ３ａが一次元配列したレンズアレイであったが、フライアイレンズ３１はレンズ３１ａが二次元配列したレンズアレイである。
そして、このフライアイレンズ３１を用いることにより、二次元状の画像振分効果を発揮することができ、反射板５Ｋの凸構造５１と画像振分手段との組み合わせに起因する画質の低下を抑制し、二次元状の補償を実現するように構成されている。
【０１４４】
即ち、図３１乃至図３４に示すように、本第１１の実施形態の表示パネル２０においては、フライアイレンズ３１を構成する所定のレンズ３１ａと対応して、第１視点用画素４６ＦＩａ、第２視点用画素４６ＳＥａ、第３視点用画素４６ＴＨａ、第４視点用画素４６ＦＯａが配置されている。
【０１４５】
一例では、第１視点用画素４６ＦＩａの＋Ｘ方向に第２視点用画素４６ＳＥａが隣接配置され、第１視点用画素４６ＦＩａの−Ｙ方向に第３視点用画素４６ＴＨａが隣接配置されている。更に、第２視点用画素４６ＳＥａの−Ｙ方向に第４視点用画素４６ＦＯａが隣接配置され、これら４つの画素が表示単位を形成してレンズ３１ａと対応して配置されている。
又、レンズ３１ａと＋Ｘ方向に隣接するレンズ３１ａに着目すると、同様に、第１視点用画素４６ＦＩｂ、第２視点用画素４６ＳＥｂ、第３視点用画素４６ＴＨｂ、第４視点用画素４６ＦＯｂが配置されている。
【０１４６】
なお、第１視点用画素４６ＦＩａと第１視点用画素４６ＦＩｂとでは、反射板５Ｋの凸構造５１のパターンが異なっており、この凸構造５１と画像振分手段との組み合わせによる画質の低下を抑制できるように構成されている。
このようなパターンの一例としては、第１視点用画素４６ＦＩａと第１視点用画素４６ＦＩｂの凸構造の配置座標を比較すると、夫々の画素内の相対座標が一致しないように配置されている例が挙げられる。
又、第１視点用以外の画素についても、同様に構成されている。
【０１４７】
更に、第１視点用画素４６ＦＩａ、第２視点用画素４６ＳＥａ、第３視点用画素４６ＴＨａ、第４視点用画素４６ＦＯａからなる表示単位は、Ｘ軸方向又はＹ軸方向に隣接する表示単位として、第１視点用画素４６ＦＩｂ、第２視点用画素４６ＳＥｂ、第３視点用画素４６ＴＨｂ、第４視点用画素４６ＦＯｂからなる表示単位が配置されている。この２種類の表示単位は、格子模様に配置されている。
なお、本第１１の実施形態における上記以外の構成は、前述の第１の実施形態と略同様である。
【０１４８】
本第１１の実施形態の表示パネル２０では、以上のような構成、作用を有するので、前記（１）〜（４）と略同様の効果を得ることができる他、次のような効果を得ることができる。
（２５）第１１の実施形態の表示パネル２０では、二次元状の画像振分効果を有するフライアイレンズ３１を使用しているため、使用者が二次元的に視角を変化させた場合に、異なる画像を視認することができ、表示品質の向上が可能となる。特に、立体画像を表示した場合には、上下方向にも視差のある画像を表示できるため、表示パネル２０を観察する角度を変えることにより、より効果的な表示が可能となる。更に、画面を回転配置した場合でも、立体画像を認識することが可能となり、特に携帯電話などの携帯型の端末に対して好適に適用できる。
【０１４９】
なお、本第１１の実施形態においては、二次元状の画像振分手段としてフライアイレンズ３１を使用した例について説明したが、本発明の実施形態はこれに限定されるものではなく、ピンホールが二次元状に配列した視差バリアについても同様に適用することが可能である。
【０１５０】
本第１１の実施形態のように、二次元状の画像振分手段を使用する場合には、一次元状の画像振分手段を使用する場合のＸ軸方向と直交するＹ軸方向の非分離効果を使用することができず、この方向での重ね合わせ効果による画質の向上を期待することはできない。即ち、画素のある一点に凸構造５１が配置されると、一次元状の画像振分手段を使用した場合には、Ｘ軸方向と直交するＹ軸方向の重ね合わせ効果を用いて凸構造５１の影響を低減できる可能性があるのに対し、二次元状の画像振分手段を使用した場合には、この凸構造５１は観察面の対応する一点に必ず影響を及ぼすことになる。
このため、隣接する表示単位での補償が、表示品質を向上するための非常に重要な手段となる。
【０１５１】
次に、図３５、図３６に基づいて本発明の第１２の実施形態について説明する。
図３５は本第１２の実施形態に係る端末装置９１を示す斜視図であり、図３６は本実施形態に係る表示パネル１１１の画素を示す上面図である。
【０１５２】
図３５及び図３６に示すように、本第１２の実施形態における表示パネル１１１は、端末装置としての携帯電話９１に組み込まれている。
そして、本第１２の実施形態は、前述の第１の実施形態と比較して、レンチキュラレンズ３を構成するシリンドリカルレンズ３ａの長手方向であるＹ軸方向が画像表示装置の横方向、即ち、画像の水平方向であり、シリンドリカルレンズ３ａの配列方向であるＸ軸方向が縦方向、即ち、画像の垂直方向である点が異なっている。
【０１５３】
図３６に示すように、本第１２の実施形態に係る表示パネル１１１においては、レンチキュラレンズ３のあるシリンドリカルレンズ３ａに対応して、第１視点用画素４Ｆａ及び第２視点用画素４Ｓａからなる表示単位が配置されている。
【０１５４】
この表示単位における第１視点用画素４Ｆａ及び第２視点用画素４Ｓａの配列方向は、シリンドリカルレンズ３ａの配列方向となるＸ軸方向であり、画面の縦方向（垂直方向）である。更に、第１視点用画素４Ｆａ及び第２視点用画素４ＳａのＸ軸方向には、第１視点用画素４Ｆｂ及び第２視点用画素４Ｓｂが隣接配置されている。これらの画素の構造は、前述の第１実施形態における画素、４Ｌａ、４Ｒａ、４Ｌｂ、４Ｒｂと同様である。
又、本第１２の実施形態における上記以外の構成は、前述の第１の実施形態と略同様である。
【０１５５】
次に、本第１２の実施形態に係る画像表示装置の作用について説明する。基本的な作用は前述の第１の実施形態と同様であるが、表示する画像が異なる。
即ち、表示パネル１１１の第１視点用画素４Ｆａ及び４Ｆｂが第１視点用の画像を表示し、第２視点用画素４Ｓａ及び４Ｓｂが第２視点用の画像を表示する。第１視点用の画像及び第２視点用の画像は、相互に視差がある立体画像ではなく、平面画像である。又、両画像は相互に独立した画像であってもよいが、相互に関連する情報を示す画像であってもよい。
【０１５６】
本第１２の実施形態の表示パネル１１１では、以上のような構成、作用を有するので、前記（１）〜（４）と略同様の効果を得ることができる他、次のような効果を得ることができる。
（２６）本第１２の実施形態の表示パネル１１１では、画像振分手段であるレンチキュラレンズと反射板の凸構造との組み合わせに起因する画質の低下を、画像振分方向（Ｘ軸方向）に隣接する表示単位で補償し合い、抑制することができるので、高画質化が可能となるだけでなく、使用者が携帯電話９１の角度を変えるだけで、第１視点用の画像又は第２視点用の画像を選択して観察できるという利点がある。
【０１５７】
（２７）特に、第１視点用の画像と第２視点用の画像との間に関連性がある場合には、観察角度を変えるという簡単な手法で夫々の画像を切り換えて交互に観察できるため、利便性が大幅に向上する。
【０１５８】
（２８）その他、例えば、第１視点用の画像と第２視点用の画像とを横方向に配列した場合には、観察位置によっては、右眼と左眼とで異なる画像を観察する場合があり、この場合、使用者は混乱し、各視点の画像を認識できなくなるが、本第１２の実施形態では、複数視点用の画像を縦方向に配列することができるので、使用者は各視点用の画像を必ず両眼で観察できるため、これらの画像を容易に認識できるという効果も得られる。
【０１５９】
なお、本第１２の実施形態は、前述の第３乃至第１１の実施形態のいずれかの実施形態や、後述の第１３乃至第１６の実施形態のいずれかかの実施形態と組み合わせることもできる。
又、前述の第１乃至第１１の実施形態においては、携帯電話等に搭載され、１人の使用者の左右の眼に相互に視差がある画像を供給して立体画像を表示するか、１人の使用者に複数種類の画像を同時に供給する画像表示装置の例を示したが、本発明の実施形態に係る画像表示装置はこれに限定されず、大型の表示パネルを備え、複数の観察者に相互に異なる複数の画像を供給するものであってもよい。後述の第１３乃至第１６の実施形態においても同様である。
【０１６０】
更に、本第１２の実施形態においては、両眼が第１視点用画素又は第２視点用画素のみを視認するため、第１視点用画素と第２視点用画素の凹凸構造のパターンは異なっていてもよい。
【０１６１】
又、前記第１の実施形態、第３〜１２の実施形態における表示パネル１、１２〜２０、１１１に、第２の実施形態に係る端末装置のようにバックライトを装備させてもよい。
【０１６２】
次に、図３７、図３８に基づいて本発明の第１３の実施形態について説明する。
図３７は本発明の第１３の実施形態に係る表示パネルの画素を示す上面図であり、図３８は図３７に示すＡ−Ａ線における表示パネルを示す縦断面図である。
【０１６３】
前述の本発明の第１実施形態と比較して、本第１３実施形態においては、各表示単位を構成する画素が異なる凸構造の反射板を有している。そして、ある任意の表示単位に着目すると、特定視点用の画像を表示する画素の反射板に設けられた凹凸構造の配置パターンは、画像振分方向に隣接する表示単位において前記特定視点用の画像を表示する画素の反射板に設けられた凹凸構造の配置パターンとは異なっている。そして、画像振分方向に隣接する表示単位を比較すると、異なる視点用の画像を表示する画素の反射板に、略同一の凹凸構造が配置されている。このように、前述の第１実施形態では各表示単位内における凹凸構造の配置パターンが略同一であったのに対し、本実施形態においては各表示単位内で凹凸構造の配置パターンが異なる。そして、隣接する表示単位を使用して、補償効果を実現している点が特徴である。
【０１６４】
即ち、図３７及び図３８に示すように、本第１３実施形態に係る表示パネル１１２においては、左眼用画素４Ｌｂ及び右眼用画素４Ｒａを有する表示単位が、レンチキュラレンズ３の所定のシリンドリカルレンズ３ａと対応して配置されている。前述のように、左眼用画素４Ｌｂにおける凸構造５１の配置パターンと、右眼用画素４Ｒａにおける凸構造５１の配置パターンは異なっており、互いに補償し合うように配置されている。
【０１６５】
そして、この表示単位の＋Ｘ方向、―Ｘ方向には、左眼用画素４Ｌａ及び右眼用画素４Ｒｂを有する表示単位が配置されている。即ち、Ｘ軸方向に隣接する表示単位において、異なる視点用画素の凹凸構造が、略同一の配置パターンとなっている。
本第１３実施形態の表示パネル１１２では、以上のような構成、作用を有するので、前記（１）〜（４）と略同様の効果を得ることができる他、次のような効果を得ることができる。
【０１６６】
（２９）本第１３の実施形態の表示パネル１１２によれば、各表示単位は異なる凸構造５１の反射板を有しているものの、隣接する表示単位で補償し合うように凸構造が配置されているため、隣接する表示単位を使用して高画質化が可能となる。このとき、１個の表示単位のみに注目すれば、使用者は両眼で異なる反射光を視認することになる。しかし、実際の使用においては単一の表示単位のみ点灯されることはまれであり、隣接する表示単位に類似の情報が表示されることが殆どであるため、隣接表示単位の補償効果により、使用者は両眼で同様の反射光を視認できることになる。
【０１６７】
本実施形態は、高精細な表示パネルに対して特に有効である。更に、立体視の可能な範囲において、補償し合う隣接表示単位のピッチ、即ち表示単位の２倍のピッチが眼の分解能以下となる場合に、特に有効である。
なお、本実施形態においては、隣接する表示単位を使用して補償するものとして説明したが、本発明がこれに限定されない。必ずしも隣接する必要はなく、同じ構造の表示単位が複数個毎に配置されていてもよい。
【０１６８】
ここで、レンチキュラレンズが画像振分手段としての作用するための条件について詳述する。本実施形態においては、画像振分手段は、左眼用画素と右眼用画素が配列する第１の方向、即ちＸ軸方向に沿って、各画素から出射した光を相互に異なる方向に振り分けなければならない。そこでまず、画像振分効果を最大限に発揮する場合について、図３９を使用して説明する。
【０１６９】
レンチキュラレンズ３の主点、即ち頂点と画素との間の距離をＨとし、レンチキュラレンズ３の屈折率をｎとし、レンズピッチをＬとする。また、左眼用画素４Ｌ又は右眼用画素４Ｒの各１個のピッチをＰとする。このとき、各１個の左眼用画素４Ｌ及び右眼用画素４Ｒからなる表示画素の配列ピッチは２Ｐとなる。
【０１７０】
また、レンチキュラレンズ３と観察者との間の距離を最適観察距離ＯＤとし、この距離ＯＤにおける画素の拡大投影像の周期、即ち、レンズから距離ＯＤだけ離れレンズと平行な仮想平面上における左眼用画素４Ｌ及び右眼用画素４Ｒの投影像の幅の周期を夫々ｅとする。更に、レンチキュラレンズ３の中央に位置するシリンドリカルレンズ３ａの中心から、Ｘ軸方向におけるレンチキュラレンズ３の端に位置するシリンドリカルレンズ３ａの中心までの距離をＷＬとし、反射型液晶表示パネル２の中心に位置する左眼用画素４Ｌと右眼用画素４Ｒからなる表示画素の中心と、Ｘ軸方向における反射型液晶表示パネル２の端に位置する表示画素の中心との間の距離をＷＰとする。更にまた、レンチキュラレンズ３の中央に位置するシリンドリカルレンズ３ａにおける光の入射角及び出射角を夫々α及びβとし、Ｘ軸方向におけるレンチキュラレンズ３の端に位置するシリンドリカルレンズ３ａにおける光の入射角及び出射角を夫々γ及びδとする。更にまた、距離ＷＬと距離ＷＰとの差をＣとし、距離ＷＰの領域に含まれる画素数を２ｍ個とする。
【０１７１】
シリンドリカルレンズ３ａの配列ピッチＬと画素の配列ピッチＰとは相互に関係しているため、一方に合わせて他方を決めることになるが、通常、表示パネルに合わせてレンチキュラレンズを設計することが多いため、画素の配列ピッチＰを定数として扱う。また、レンチキュラレンズ３ａの材料を選択することにより、屈折率ｎが決定される。これに対して、レンズと観察者との間の観察距離ＯＤ、及び観察距離ＯＤにおける画素拡大投影像の周期ｅは所望の値を設定する。これらの値を使用して、レンズの頂点と画素との間の距離Ｈ及びレンズピッチＬを決定する。スネルの法則と幾何学的関係より、下記数式１乃至６が成立する。また、下記数式７乃至９が成立する。
【０１７２】
[数１]
ｎ×ｓｉｎα＝ｓｉｎβ
【０１７３】
[数２]
ＯＤ×ｔａｎβ＝ｅ
【０１７４】
[数３]
Ｈ×ｔａｎα＝Ｐ
【０１７５】
[数４]
ｎ×ｓｉｎγ＝ｓｉｎδ
【０１７６】
[数５]
Ｈ×ｔａｎγ＝Ｃ
【０１７７】
[数６]
ＯＤ×ｔａｎδ＝ＷＬ
【０１７８】
[数７]
ＷＰ−ＷＬ＝Ｃ
【０１７９】
[数８]
ＷＰ＝２×ｍ×Ｐ
【０１８０】
[数９]
ＷＬ＝ｍ×Ｌ
前述のようにまず画像振分効果を最大限に発揮する場合について考えるが、これはレンチキュラレンズの頂点と画素との間の距離Ｈを、レンチキュラレンズの焦点距離ｆと等しく設定した場合である。これにより、下記数式１０が成立する。そして、レンズの曲率半径をｒとすると、曲率半径ｒは下記数式１１により求まる。
【０１８１】
[数１０]
ｆ＝Ｈ
【０１８２】
[数１１]
ｒ＝Ｈ×（ｎ−１）／ｎ
【０１８３】
上記のパラメータについてまとめると、画素の配列ピッチＰは表示パネルにより決定される値であり、観察距離ＯＤ及び画素拡大投影像の周期ｅは表示装置の設定により決定される値である。屈折率ｎはレンズ等の材質により決定される。そして、これらから導出されるレンズの配列ピッチＬ、レンズと画素との距離Ｈは、各画素からの光が観察面に投影される位置を決定するためのパラメータとなる。画像振分効果を変更するパラメータは、レンズの曲率半径ｒである。即ち、レンズと画素との距離Ｈが固定の場合には、レンズの曲率半径を理想状態から変更すると、左右の画素の像がぼやけて、明確に分離しなくなる。即ち、分離が有効となる曲率半径の範囲を求めれば良い。
【０１８４】
まず、レンズの分離作用が存在するための、曲率半径範囲の最小値を算出する。図４０に示すように、分離作用が存在するためには、レンズピッチＬを底辺とし焦点距離ｆを高さとする三角形と、画素ピッチＰを底辺としＨ−ｆを高さとする三角形とにおいて、相似の関係が成立すればよい。これより、下記数式１２が成立し、焦点距離の最小値ｆｍｉｎを求めることができる。
【０１８５】
[数１２]
ｆｍｉｎ＝Ｈ×Ｌ／（Ｌ＋Ｐ）
【０１８６】
次に焦点距離から曲率半径を算出する。数式１１を使用して、曲率半径の最小値ｒｍｉｎは、下記数式１３のように求めることができる。
【０１８７】
[数１３]
ｒｍｉｎ＝Ｈ×Ｌ×（ｎー１）／（Ｌ＋Ｐ）／ｎ
【０１８８】
次に、最大値を算出する。図４１に示すように、分離作用が存在するためには、レンズピッチＬを底辺とし焦点距離ｆを高さとする三角形と、画素ピッチＰを底辺としｆ−Ｈを高さとする三角形とにおいて、相似の関係が成立すればよい。
これより、下記数式１４が成立し、焦点距離の最大値ｆｍａｘを求めることができる。
【０１８９】
[数１４]
ｆｍａｘ＝Ｈ×Ｌ／（Ｌ−Ｐ）
【０１９０】
次に焦点距離から曲率半径を算出する。数式１１を使用して、曲率半径の最小値ｒｍａｘは、下記数式１５のように求めることができる。
【０１９１】
[数１５]
ｒｍａｘ＝Ｈ×Ｌ×（ｎー１）／（Ｌ−Ｐ）／ｎ
【０１９２】
以上まとめると、レンズが画像振分効果を発揮するためには、レンズの曲率半径が数式１３及び数式１５により示される下記数式１６の範囲に存在する必要がある。
【０１９３】
[数１６]
Ｈ×Ｌ×（ｎー１）／（Ｌ＋Ｐ）／ｎ≦ｒ≦Ｈ×Ｌ×（ｎー１）／（Ｌ−Ｐ）／ｎ
【０１９４】
なお上記においては、左眼用画素と右眼用画素とを有する２視点の立体画像表示装置について説明したが、本発明の実施形態はこれに限定されるものではない。例えば、Ｎ視点方式の表示装置に対して同様に適用することができる。この場合には、前述の距離ＷＰの定義において、距離ＷＰの領域に含まれる画素数を、２ｍ個からＮ×ｍ個に変更すればよい。
【０１９５】
なお上述の説明は、観察面に複数個の視点を設定し、その設定した各視点に向かって表示面の全ての表示単位から各視点用の画素の光が出射する方式のものである。この方式は、特定視点に該当する視点の光を集めるため、集光方式とも呼称される。集光方式には、上述の２視点方式の立体表示装置や、更に視点数を増やした多視点方式の立体表示装置が分類される。図４２に集光方式の概念図を示す。集光方式では観察者の眼に入射する光線を再現して表示する点が特徴的である。本発明の実施形態は、このような集光方式に対して、非常に効果的に適用することができる。
【０１９６】
更に、図４３に示すように、空間像方式や空間像再生方式、空間像再現方式、空間像形成方式などと呼称される方式が提案されている。空間像方式は集光方式と異なり、特定の視点を設置しない。そして、空間の物体が発する光を再現するように表示する点が異なる。即ち、任意の場所に位置する観察者は、表示面全体において、同一視点用の画素を視認することはない。しかしながら、表示面において、同一視点用の画素が形成する所定の領域を視認することになる。したがって、このような空間像方式においても、本発明の実施形態を有効に適用することができる。
【０１９７】
次に、図４４に基づいて本発明の第１４の実施形態について説明する。
図４４は本発明の第１４の実施形態に係る表示パネルを示す縦断面図である。
前述の本発明の第１３実施形態と比較して、本第１４実施形態においては、画像振分手段として、レンチキュラレンズの代わりにパララックスバリアを使用している点が異なる。
【０１９８】
図４４に示すように、パララックスバリア７はスリット７ａがＸ軸方向に多数配置したスリットアレイである。
【０１９９】
本第１４実施形態の表示パネル１１３では、以上のような構成、作用を有するので、前記（１）〜（４）と略同様の効果を得ることができる他、次のような効果を得ることができる。
【０２００】
（３０）パララックスバリアはフォトリソグラフィ技術を用いて容易に作製可能であるため、低コスト化が可能となる。
【０２０１】
ここで、パララックスバリアが画像振分手段としての作用するための条件について詳述する。まず、図４５を使用して、パララックスバリア方式について説明する。
【０２０２】
パララックスバリア７は、細い縦縞状の多数の開口、即ち、スリット７ａが形成されたバリア（遮光板）である。換言すれば、パララックスバリアは、振分方向となる第１の方向と直交する第２の方向に延びるスリットが、前記第１の方向に沿って複数本配列するように形成された光学部材である。左眼用画素４Ｌからパララックスバリア７に向けて出射した光は、スリット７ａを透過すると、領域ＥＬに向けて進行する光束となる。同様に、右眼用画素４Ｒからパララックスバリア７に向けて出射した光は、スリット７ａを透過すると、領域ＥＲに向けて進行する光束となる。このとき、観察者が左眼５５２を領域ＥＬに位置させ、右眼５５１を領域ＥＲに位置させた場合に、観察者は立体画像を認識することができる。
【０２０３】
次に、表示パネルの前面にスリット状の開口部を有するパララックスバリアが配置された立体画像表示装置について、その各部のサイズを詳細に説明する。図４５に示すように、パララックスバリア７のスリット７ａの配列ピッチをＬとし、パララックスバリア７と画素との距離をＨとする。また、パララックスバリア７と観察者との間の距離を最適観察距離ＯＤとする。更に、パララックスバリア７の中央に位置するスリット７ａの中心から、Ｘ軸方向におけるパララックスバリア７の端に位置するスリット７ａの中心までの距離をＷＬとする。パララックスバリア７自体は遮光板であるためスリット７ａ以外に入射した光は透過しないが、バリア層を支持する基板を設けることとし、この基板の屈折率をｎと定義する。仮に支持基板が存在しない場合には、屈折率ｎを空気の屈折率である１にすればよい。このように定義すると、スリット７ａから出射する光は、バリア層を支持する基板から出射する際に、スネルの法則に従って屈折する。
【０２０４】
そこで、パララックスバリア７の中央に位置するスリット７ａにおける光の入射角及び出射角を夫々α及びβとし、Ｘ軸方向におけるパララックスバリア７の端に位置するスリット７ａにおける光の入射角及び出射角を夫々γ及びδとする。更に、スリット７ａの開口幅をＳ１とする。スリット７ａの配列ピッチＬと画素の配列ピッチＰとは相互に関係しているため、一方に合わせて他方を決めることになるが、通常、表示パネルに合わせてパララックスバリアを設計することが多いため、画素の配列ピッチＰを定数として扱う。また、バリア層の支持基板の材料を選択することにより、屈折率ｎが決定される。これに対して、パララックスバリアと観察者との間の観察距離ＯＤ、及び観察距離ＯＤにおける画素拡大投影像の周期ｅは所望の値を設定する。これらの値を使用して、バリアと画素との間の距離Ｈ及びバリアピッチＬを決定する。スネルの法則と幾何学的関係より、下記数式１７乃至２２が成立する。また、下記数式２３乃至２５が成立する。
【０２０５】
[数１７]
ｎ×ｓｉｎα＝ｓｉｎβ
【０２０６】
[数１８]
ＯＤ×ｔａｎβ＝ｅ
【０２０７】
[数１９]
Ｈ×ｔａｎα＝Ｐ
【０２０８】
[数２０]
ｎ×ｓｉｎγ＝ｓｉｎδ
【０２０９】
[数２１]
Ｈ×ｔａｎγ＝Ｃ
【０２１０】
[数２２]
ＯＤ×ｔａｎδ＝ＷＬ
【０２１１】
[数２３]
ＷＰ−ＷＬ＝Ｃ
【０２１２】
[数２４]
ＷＰ＝２×ｍ×Ｐ
【０２１３】
[数２５]
ＷＬ＝ｍ×Ｌ
【０２１４】
なお上記においては、左眼用画素と右眼用画素とを有する２視点の立体画像表示装置について説明したが、本発明の実施形態はこれに限定されるものではない。例えば、Ｎ視点方式の表示装置に対して同様に適用することができる。この場合には、前述の距離ＷＰの定義において、距離ＷＰの領域に含まれる画素数を、２ｍ個からＮ×ｍ個に変更すればよい。
【０２１５】
上記のパラメータについてまとめると、画素の配列ピッチＰは表示パネルにより決定される値であり、観察距離ＯＤ及び画素拡大投影像の周期ｅは表示装置の設定により決定される値である。屈折率ｎは支持基板等の材質により決定される。そして、これらから導出されるスリットの配列ピッチＬ、パララックスバリアと画素との距離Ｈは、各画素からの光が観察面に投影される位置を決定するためのパラメータとなる。画像振分効果を変更するパラメータは、スリットの開口幅Ｓ１である。即ち、バリアと画素との距離Ｈが固定の場合、スリットの開口幅Ｓ１が小さい程、左右の画素の像は明確に分離される。ピンホールカメラと同様の原理である。そして、開口幅Ｓ１が大きくなると、左右の画素の像がぼやけて、明確に分離しなくなる。
【０２１６】
パララックスバリアにおいて分離が有効になるスリット幅の範囲は、レンズ方式よりも直感的に算出することができる。図４６に示すように、左眼用画素４Ｌと右眼用画素４Ｒの境界から出射した光は、スリット７ａを通過する際にその開口幅である幅Ｓ１に狭めらる。そして、距離ＯＤ進行して観察面に到達するが、分離作用が存在するためには、この観察面における幅がｅ以下でなければならない。この幅より広がった場合には、左右画素の投影周期よりも大きくなるため、分離されないことになる。このときのスリット７ａの開口幅Ｓ１は、スリットピッチＬの半分である。即ち、パララックスバリアにおいて分離が有効になるスリット幅の範囲は、スリットピッチの１／２以下である。
【０２１７】
次に、図４７に基づいて本発明の第１５の実施形態について説明する。
図４７は本発明の第１５の実施形態に係る表示パネルの画素を示す上面図である。
前述の本発明の第１３実施形態と比較して、本第１５実施形態においては、画像振分方向のみならず、その直交方向においても隣接する表示単位が異なる凹凸構造を有している。
【０２１８】
即ち、図４７に示すように、本第１５実施形態に係る表示パネル１１４においては、左眼用画素４Ｌｂ及び右眼用画素４Ｒａを有する表示単位が、レンチキュラレンズ３の所定のシリンドリカルレンズ３ａと対応して配置されている。そして、この表示単位の＋Ｘ方向、―Ｘ方向には、左眼用画素４Ｌａ及び右眼用画素４Ｒｂを有する表示単位が配置されている。更に、＋Ｙ方向、−Ｙ方向にも、左眼用画素４Ｌａ及び右眼用画素４Ｒｂを有する表示単位が配置されている。即ち、Ｘ軸方向のみならず、Ｙ軸方向に隣接する表示単位において、異なる視点用画素の凹凸構造が、略同一の配置パターンとなっている。
【０２１９】
本第１５実施形態の表示パネル１１４では、以上のような構成、作用を有するので、前記（１）〜（４）と略同様の効果を得ることができる他、次のような効果を得ることができる。
【０２２０】
（３１）Ｘ軸方向及びＹ軸方向において夫々隣接する表示単位を利用して補償し合うよう、反射板の凸構造５１の配置パターンが配置されている。これにより、市松状に補償効果を発揮することができ、高画質化が可能となる。
【０２２１】
更に、本実施形態においては、フライアイレンズや二次元ピンホールアレイと好適に組み合わせることができ、高画質化が可能となる。
【０２２２】
次に、図４８に基づいて本発明の第１６の実施形態について説明する。
【０２２３】
図４８は本発明の第１６の実施形態に係る表示パネルの画素を示す上面図である。
【０２２４】
前述の本発明の第１３実施形態と比較して、本第１６実施形態においては、反射板の凹凸形状が異なる。前述の第１３実施形態においては、凹凸形状は孤立した凸状であるのに対し、本実施形態においては略三角形状である。
【０２２５】
即ち、図４８に示すように、本第１６実施形態に係る表示パネル１１５においては、左眼用画素４６Ｌａ、４６Ｌｂ、右眼用画素４６Ｒａ、４６Ｒｂにおける反射板の凸構造５２は、三角形状を基本としている。
【０２２６】
本第１６実施形態の表示パネル１１５では、以上のような構成、作用を有するので、前記（１）〜（４）と略同様の効果を得ることができる他、次のような効果を得ることができる。
【０２２７】
（３２）三角形状の凹凸構造により、反射光の散乱に分布を持たせることができる。即ち、反射光の進行方向に異方性を持たせることができる。これにより、孤立した凸状の凹凸構造よりも、反射光を有効に活用でき、明るい反射表示が実現できる。
なお、本実施形態においては、凹凸構造は略三角形状の凸状であるものとして説明したが、本発明はこれに限定されるものではない。例えば、略三角形状の他に、四角形、五角形、六角形などの多角形、楕円、Ｕ字型、Ｖ字型、菱形やこれらの扁平形を基本形状として使用することができる。そして、これらのパターンを拡大又は縮小して配置することができる。これらの形状に共通する点は、長軸と短軸が異なる異方性形状であり、これは孤立状態でも連結状態でもよい。更には、図４８に示す三角形状の辺の部分のみが、凸状又は凹状であってもよい。
【０２２８】
次に、図４９、図５０に基づいて本発明の第１７の実施形態について説明する。
【０２２９】
図４９は本発明の第１７の実施形態に係る表示パネルの画素を示す上面図であり、図５０は表示パネルを示す縦断面図である。
【０２３０】
前述の本発明の第１５実施形態と比較して、本第１７実施形態においては、レンズの焦点距離がレンズ画素間距離と異なっている。即ち、本実施形態は、本発明に対してレンズのデフォーカスを組み合わせた形態である。
【０２３１】
図４９及び図５０に示すように、本第１７実施形態に係る表示パネル１１６においては、レンチキュラレンズ３２が、焦点距離ｆ１なるシリンドリカルレンズより構成されている。焦点距離ｆ１は、レンズ画素間距離Ｈよりも小さく設定されている。更に、Ｙ軸方向に隣接する画素に着目すると、反射板の凸構造５１は、各画素中の相対位置座標が異なるように配置されている。例えば、右眼用画素４７Ｒａと右眼用画素４７Ｒｂに着目すると、凸構造５１はＸ軸方向にＰ１だけずれて配置されている。他の凸構造に着目しても、少なくともＰ１だけずらして配置されている。図５０においては、２種類の画素の凸構造の位置関係を、実線と点線とで示している。このとき、レンズピッチＬを底辺とし焦点距離ｆ１を高さとする三角形と、凸構造のずれ量Ｐ１を底辺としＨ−ｆを高さとする三角形とにおいて、相似の関係が成立する。これにより、下記数式２６が得られる。
【０２３２】
[数２６]
ｆ１＝Ｈ×Ｌ／（Ｌ＋Ｐ１）
【０２３３】
これは、レンズの焦点距離をレンズ画素間距離Ｈより小さくし、かつ反射板の凸形状が異なる画素配置とを組み合わせた場合に、少なくとも効果が得られるための条件である。レンズの画像振分作用が有効な範囲としては、下記数式２７の範囲に焦点距離を設定すればよい。
【０２３４】
[数２７]
Ｈ×Ｌ／（Ｌ＋Ｐ）≦ｆ≦Ｈ×Ｌ／（Ｌ＋Ｐ１）
【０２３５】
ただし、焦点距離が短くなり過ぎると、前述のように分離効果が低減してしまうので、数式２７を満たす範囲でできるだけ小さな焦点距離を選択するのが好ましい。
【０２３６】
本第１７実施形態の表示パネル１１６では、以上のような構成、作用を有するので、特に次のような効果を得ることができる。
【０２３７】
（３３）本実施形態においては、レンズの焦点距離をレンズ画素間距離よりも短く設定することにより、反射板の凸形状が異なる画素配置と組み合わせて高画質化が可能である。特に本実施形態においては、反射板の凸形状が異なる画素を設け、これらの画素における凸形状の位置の違いに合わせてレンズの焦点距離を短くする点が特徴である。これにより、従来の形態、即ち各画素における凸形状の間の距離に応じてレンズの焦点距離を短くする場合よりも、レンズの分離効果を損なわずに高画質化が可能である。
【０２３８】
なお、レンズの焦点距離をレンズ画素間距離よりも長く設定する場合には、少なくとも下記数式２８で示す焦点距離ｆ１を採用することにより、レンズのぼかし効果を発揮した上で、分離性能を最大にすることができる。
【０２３９】
[数２８]
ｆ１＝Ｈ×Ｌ／（Ｌ−Ｐ１）
【０２４０】
レンズの画像振分作用が有効な範囲としては、下記数式２９の範囲に焦点距離を設定すればよい。
【０２４１】
[数２９]
Ｈ×Ｌ／（Ｌ−Ｐ１）≦ｆ≦Ｈ×Ｌ／（Ｌ−Ｐ）
【０２４２】
次に、本発明の他の実施形態について説明する。
【０２４３】
前記反射板の凹凸構造の配置パターンが前記第１視点用の画像を表示する画素と前記第２視点用の画像を表示する画素とで異なる表示単位が存在し、ある表示単位における前記第１視点用の画像を表示する画素の凹凸構造の配置パターンが、別の表示単位における前記第２視点用の画像を表示する画素の凹凸構造の配置パターンと略同一であってもよい。
これにより、複数の表示単位間で、画像振分手段と反射板の凹凸構造との組み合わせに起因する画質の低下を補償し合うことができるため、表示品質の向上が可能となる。
【０２４４】
また前記反射板の凹凸構造の配置パターンが、前記表示単位内において同一であってもよい。
これにより、特に立体画像を表示する際に、左右の画素からの反射光を同一の状態にすることができ、使用者の違和感をより低減することができるため、高画質化が可能となる。
【０２４５】
また前記反射板の凹凸構造の配置パターンが、前記画像振分手段の第１の方向に配列する表示単位で異なる状態を有していてもよい。
これにより、反射板の凹凸構造の配置パターンが画像振分手段の第１の方向に配列する表示単位で異なる画素を有するため、この互いに異なる画素を用いて画像振分手段と反射板の凹凸構造との組み合わせに起因する画質の低下を補償し合うことができる。その結果、高画質化が可能となり、反射表示において優れた表示品質を有するものとすることができる。
【０２４６】
また前記反射板の凹凸構造の配置パターンが、前記表示パネルの表示面内において前記画像振分手段の前記第１の方向と直交する第２の方向に配列する表示単位で異なる状態を有していてもよい。
これにより、画像振分手段と反射板の凹凸構造との組み合わせに起因する画質の低下を、第２の方向に配列する表示単位で補償し合い、制御することができるので、高画質化が可能となる。
【０２４７】
また前記反射板の凹凸構造の配置パターンが、前記画像振分手段の前記第１の方向に配列する表示単位で異なる状態を有し、かつ前記表示パネルの表示面内において前記画像振分手段の前記第１の方向と直交する前記第２の方向に配列する表示単位で異なる状態を有していてもよい。
【０２４８】
これにより、複数種類の配置パターンを市松模様状に配置することができ、二次元状の補償効果を発揮できるため、表示品質の一層の向上が可能となる。
【０２４９】
また前記表示パネルはカラー表示を実現するための複数色の色画素群を有し、この色画素の同色が線状に配列され、この線状配列の延伸する方向が、前記表示パネルの表示面内において前記画像振分手段の前記第１の方向と直交する前記第２の方向であってもよい。
【０２５０】
これにより、特に反射板の凹凸構造の配置パターンが、表示パネルの表示面内において画像振分手段の第１の方向と直交する第２の方向に配列する表示単位で異なる状態を有する場合において好適に適用でき、色配列と表示単位を独立に配置可能なため、表示色への悪影響を低減することができる。
【０２５１】
また前記表示パネルはカラー表示を実現するための複数色の色画素群を有し、この色画素の同色が線状に配列され、この線状配列の延伸する方向が、前記表示パネルの表示面内において前記画像振分手段の前記第１の方向と直交する前記第２の方向であってもよい。
【０２５２】
これにより、特に反射板の凹凸構造の配置パターンが、画像振分手段の第１の方向に配列する表示単位で異なる状態を有し、かつ表示パネルの表示面内において画像振分手段の第１の方向と直交する第２の方向に配列する表示単位で異なる状態を有する場合に好適に適用でき、二次元状の補償効果を有する高品質のカラー表示が可能となる。
【０２５３】
また前記表示パネルはカラー表示を実現するための複数色の色画素群を有し、この色画素の同色が線状に配列され、この線状配列の延伸する方向が、前記画像振分手段の前記第１の方向であることを特徴とする。
【０２５４】
これにより、特に反射板の凹凸構造の配置パターンが、画像振分手段の第１の方向に配列する表示単位で異なる状態を有する場合において好適に適用でき、色配列と表示単位を独立に配置可能なため、表示色への悪影響を低減することができる。
又、各画素の表示に使用できる領域の割合を高めることができ、明るい表示が可能となる。更に、画像振分手段の製造が容易になり、画素との位置合わせ誤差の許容量も大きく稼げるため、表示パネルの歩留まりが向上し、低コスト化が可能となる。
【０２５５】
また前記表示パネルはカラー表示を実現するための複数色の色画素群を有し、この色画素の同色が線状に配列され、この線状配列の延伸する方向が、前記画像振分手段の前記第１の方向であり、前記反射板の凹凸構造の配置パターンが、前記色画素群内で同じであることを特徴とする。
【０２５６】
これにより、特に反射板の凹凸構造の配置パターンが、表示パネルの表示面内において画像振分手段の第１の方向と直交する第２の方向に配列する表示単位で異なる状態を有する場合において好適に適用でき、表示色に対する影響のない良好な表示が可能となる。
【０２５７】
また前記表示パネルはカラー表示を実現するための複数色の色画素群を有し、この色画素の同色が線状に配列され、この線状配列の延伸する方向が、前記画像振分手段の前記第１の方向であることを特徴とする。
【０２５８】
これにより、反射板の凹凸構造の配置パターンが、画像振分手段の第１の方向に配列する表示単位で異なる状態を有し、かつ表示パネルの表示面内において画像振分手段の第１の方向と直交する方向に配列する表示単位で異なる状態を有する場合に好適に適用できるため、明るく優れた画質を有する表示パネルを実現することができる。
【０２５９】
また前記表示パネルの隣接する画素において、前記反射板の凹凸構造の配置パターンが、前記画像振分手段の前記第１の方向と直交する前記第２の方向に延伸する線分に対して線対称の関係の画素を有していてもよい。
【０２６０】
これにより、画像振分手段と反射板の凹凸構造との組み合わせに起因する画質の低下を補償し合うことができるだけでなく、凹凸構造の配置パターンの設計も容易になるため、低コスト化が可能となる。
【０２６１】
また前記表示パネルの隣接する画素において、前記反射板の凹凸構造の配置パターンが回転対称の関係の画素を有していてもよい。
【０２６２】
これにより、画像振分手段と反射板の凹凸構造との組み合わせに起因する画質の低下を補償し合うことができるだけでなく、凹凸構造の配置パターンの設計も容易になり、低コスト化が可能となる。
【０２６３】
また前記表示パネルの画素が平行四辺形状を呈し、前記画像振分手段の第１の方向に隣接する画素の境界が、この第１の方向と直交する方向に対して傾斜する構成でもよい。
【０２６４】
これにより、隣接する画素間に存在する非表示領域の影響を低減することができるため、視認性を向上することが可能となる。
又、第１の方向と直交する第２の方向に延びる線分で画素を切断したときの表示領域の長さを、第１の方向の任意の位置で一定とする設計が可能となり、この時には観察位置によらず非表示領域の影響を完全になくすことが可能となるため、高品質の表示が実現できる。
【０２６５】
また前記画素境界の傾斜方向は、前記画像振分手段の前記第１の方向と直交する前記第２の方向に隣接する画素では反対方向であってもよい。
【０２６６】
これにより、第１の方向と直交する前記第２の方向に隣接する画素を、第１の方向と直交する前記第２の方向と平行に配置でき、これにより、表示パネルの違和感を低減することができる。
【０２６７】
また前記表示パネルの画素が台形状を呈し、前記画像振分手段の前記第１の方向に隣接する画素の境界が、この前記第１の方向と直交する前記第２の方向に対して傾斜し、隣接する画素が回転対称に配置されていてもよい）。
これにより、明るい表示が可能となる。
【０２６８】
また前記画像振分手段は、この画像振分手段の画像振分方向にシリンドリカルレンズが配列するように形成したレンチキュラレンズであることを特徴とする。
これにより、光を有効に利用することができるため、明るい表示が可能となる。
【０２６９】
また前記画像振分手段は、この画像振分手段の画像振分方向にスリットが配列するように形成したパララックスバリアであってもよい（請求項１８）。
これにより、パララックスバリアはフォトリソグラフィ技術を用いて容易に作製可能であるため、低コスト化が可能となる。
【０２７０】
また前記画像振分手段は、レンズが二次元状に配列するように形成したフライアイレンズであってもよい。
【０２７１】
これにより、二次元状の画像振分効果を有するフライアイレンズを使用しているため、使用者が二次元的に視角を変化させた場合に、異なる画像を視認することができ、表示品質の向上が可能となる。特に、立体画像を表示した場合には、上下方向にも視差のある画像を表示できるため、表示パネルを観察する角度を変えることにより、より効果的な表示が可能となる。
又、画面を回転配置した場合でも、立体画像を認識することが可能となり、特に携帯電話などの携帯型の端末に対して好適に適用できる。
【０２７２】
また前記画像振分手段は、有限幅の開口が二次元状に配列するように形成されたパララックスバリアであってもよい。
これにより、二次元的に異なる画像を表示可能な表示パネルを低コストに作製することができる。
【０２７３】
また前記表示パネルが半透過型の表示パネルであってもよ。
これにより、半透過型の表示パネルにおいては、透過用の表示領域を設ける必要があるため反射用の表示領域が小さくなり、反射板の凹凸構造の配置パターンも限定されるが、本発明においては、別の画素との補償を使用して高画質化が可能となるために、反射板の面積が小さな表示パネルに対して、好適に適用でき、大きな効果を発揮することができる。
【０２７４】
また前記表示パネルは、画素の透過用表示領域よりも反射用の表示領域の方が小さく形成された微反射型の表示パネルであってもよい。
【０２７５】
又、前記表示パネルが液晶表示パネルであってもよい。
【０２７６】
又、前記液晶表示パネルは、横電界モード又はマルチドメイン垂直配向モードの液晶表示パネルであってもよい。
【０２７７】
本発明の実施形態に係る表示パネルを表示装置に装備してもよいおのである。
【０２７８】
本発明の実施形態に係る表示装置を端末装置にそうびしてもよいものである。
【０２７９】
本発明の実施形態に係る表示装置を、携帯電話、個人用情報端末、ゲーム機、デジタルカメラ、ビデオカメラ、ビデオプレーヤ、ノート型パーソナルコンピュータ、キャッシュディスペンサ又は自動販売機等の端末装置に装備  
【０２８０】
なお、上述の各実施形態は夫々単独で実施してもよいが、適宜組み合わせて実施することも可能である。
【図面の簡単な説明】
【０２８１】
【図１】本発明の第１の実施形態に係る表示パネルを示す縦断面図である。
【図２】図１に示す表示パネルの画素を示す上面図である。
【図３】前記第１の実施形態の表示パネルにおいて、Ｘ軸に平行な線分で表示パネルを切断した断面における光学モデルを示す図である。
【図４】本第１の実施形態に係る端末装置を示す斜視図である。
【図５】本発明の第２の実施形態に係る表示装置を示す縦断面図である。
【図６】前記第２の実施形態の表示装置に用いられる表示パネルの画素を示す上面図である。
【図７】本発明の第３の実施形態に係る表示パネルの画素を示す上面図である。
【図８】図７に示すＡ−Ａ線における表示パネルを示す縦断面図である。
【図９】図７に示すＢ−Ｂ線における表示パネルを示す縦断面図である。
【図１０】本発明の第４の実施形態に係る表示パネルの画素を示す上面図である。
【図１１】図１０に示すＡ−Ａ線における表示パネルを示す縦断面図である。
【図１２】図１０に示すＢ−Ｂ線における表示パネルを示す縦断面図である。
【図１３】本発明の第５の実施形態に係る表示パネルの画素を示す上面図である。
【図１４】図１３に示すＡ−Ａ線における表示パネルを示す縦断面図である。
【図１５】図１３に示すＢ−Ｂ線における表示パネルを示す縦断面図である。
【図１６】本発明の第６の実施形態に係る表示パネルの画素を示す上面図である。
【図１７】図１６に示すＡ−Ａ線における表示パネルを示す縦断面図である。
【図１８】図１６に示すＢ−Ｂ線における表示パネルを示す縦断面図である。
【図１９】本発明の第７の実施形態に係る表示パネルの画素を示す上面図である。
【図２０】図１９に示すＡ−Ａ線における表示パネルを示す縦断面図である。
【図２１】図１９に示すＢ−Ｂ線における表示パネルを示す縦断面図である。
【図２２】本発明の第８の実施形態に係る表示パネルの画素を示す上面図である。
【図２３】図２２に示すＡ−Ａ線における表示パネルを示す縦断面図である。
【図２４】図２２に示すＢ−Ｂ線における表示パネルを示す縦断面図である。
【図２５】本発明の第９の実施形態に係る表示パネルの画素を示す上面図である。
【図２６】図２２に示すＡ−Ａ線における表示パネルを示す縦断面図である。
【図２７】図２２に示すＢ−Ｂ線における表示パネルを示す縦断面図である。
【図２８】本発明の第１０の実施形態に係る表示パネルの画素を示す上面図である。
【図２９】図２８に示すＡ−Ａ線における表示パネルを示す縦断面図である。
【図３０】図２８に示すＢ−Ｂ線における表示パネルを示す縦断面図である。
【図３１】本発明の第１１の実施形態に係る画像振分手段であるフライアイレンズを示す斜視図である。
【図３２】前記第１１の実施形態に係る表示パネルの画素を示す上面図である。
【図３３】図３２に示すＡ−Ａ線における表示パネルを示す縦断面図である。
【図３４】図３２に示すＢ−Ｂ線における表示パネルを示す縦断面図である。
【図３５】本発明の第１２の実施形態に係る端末装置を示す斜視図である。
【図３６】本実施形態に係る表示パネルの画素を示す上面図である。
【図３７】本発明の第１３の実施形態に係る表示パネルの画素を示す上面図である。
【図３８】図３７に示すＡ−Ａ線における表示パネルを示す縦断面図である。
【図３９】レンチキュラレンズを使用した場合の光学モデルを示す断面図である。
【図４０】レンチキュラレンズの画像分離条件を算出するため、曲率半径最小時を示した光学モデル図である。
【図４１】レンチキュラレンズの画像分離条件を算出するため、曲率半径最大時を示した光学モデル図である。
【図４２】集光方式を示す概念図である。
【図４３】空間像方式を示す概念図である。
【図４４】本発明の第１４の実施形態に係る表示パネルを示す縦断面図である。
【図４５】パララックスバリアを使用した場合の光学モデルを示す断面図である。
【図４６】パララックスバリアの画像分離条件を算出するため、スリットの開口幅最大時を示した光学モデル図である。
【図４７】本発明の第１５の実施形態に係る表示パネルの画素を示す上面図である。
【図４８】本発明の第１６の実施形態に係る表示パネルの画素を示す上面図である。
【図４９】本発明の第１７の実施形態に係る表示パネルの画素を示す上面図である。
【図５０】図４９の表示パネルを示す縦断面図である。
【符号の説明】
【０２８２】
１、１１、１２、１３、１４、１５、１６、１７、１８、１９、２０、１１１、１１２，１１３，１１４，１１４，１１５，１１６；表示パネル
２；表示装置
３、３２；レンチキュラレンズ
３ａ、３２ａ；シリンドリカルレンズ
３１；フライアイレンズ
３１ａ；レンズ
４Ｌａ、４１Ｌａ、４Ｌｂ、４１Ｌｂ，４６Ｌａ、４６Ｌｂ；左眼用画素
４Ｒａ、４１Ｒａ、４Ｒｂ、４１Ｒｂ、４６Ｒａ、４６Ｒｂ；右眼用画素
４３ＬＲａ、４３ＬＲｂ、４４ＬＲｐｘ、４４ＬＲｍｘ、４５ＬＲｕａ、４５ＬＲｕｂ、４５ＬＲｄａ、４５ＬＲｄｂ；赤色左眼用画素
４３ＬＧａ、４３ＬＧｂ、４４ＬＧｐｘ、４４ＬＧｍｘ、４５ＬＧｕａ、４５ＬＧｕｂ、４５ＬＧｄａ、４５ＬＧｄｂ；緑色左眼用画素
４３ＬＢａ、４３ＬＢｂ、４４ＬＢｐｘ、４４ＬＢｍｘ、４５ＬＢｕａ、４５ＬＢｕｂ、４５ＬＢｄａ、４５ＬＢｄｂ；青色左眼用画素
４３ＲＲａ、４３ＲＲｂ、４４ＲＲｐｘ、４４ＲＲｍｘ、４５ＲＲｕａ、４５ＲＲｕｂ、４５ＲＲｄａ、４５ＲＲｄｂ；赤色右眼用画素
４３ＲＧａ、４３ＲＧｂ、４４ＲＧｐｘ、４４ＲＧｍｘ、４５ＲＧｕａ、４５ＲＧｕｂ、４５ＲＧｄａ、４５ＲＧｄｂ；緑色右眼用画素
４３ＲＢａ、４３ＲＢｂ、４４ＲＢｐｘ、４４ＲＢｍｘ、４５ＲＢｕａ、４５ＲＢｕｂ、４５ＲＢｄａ、４５ＲＢｄｂ；青色右眼用画素
４１Ｌｔ；左眼用画素透過用表示領域
４１Ｒｔ；右眼用画素透過用表示領域
４２ＦＩａ、４２ＦＩｂ、４６ＦＩａ、４６ＦＩｂ、４Ｆａ、４Ｆｂ；第１視点用画素
４２ＳＥａ、４２ＳＥｂ、４６ＳＥａ、４６ＳＥｂ、４Ｓａ、４Ｓｂ；第２視点用画素
４２ＴＨａ、４２ＴＨｂ、４６ＴＨａ、４６ＴＨｂ；第３視点用画素
４２ＦＯａ、４２ＦＯｂ、４６ＦＯａ、４６ＦＯｂ；第４視点用画素
５Ａ〜５Ｋ；反射板
５１、５２；凸構造
５５１；左眼
５５２；右眼
７；パララックスバリア
７ａ；スリット
８；バックライトユニット
８９；光
９、９１；携帯電話
【図１】
2008304885.tif 000003
【図２】
2008304885.tif 000004
【図３】
2008304885.tif 000005
【図４】
2008304885.tif 000006
【図５】
2008304885.tif 000007
【図６】
2008304885.tif 000008
【図７】
2008304885.tif 000009
【図８】
2008304885.tif 000010
【図９】
2008304885.tif 000011
【図１０】
2008304885.tif 000012
【図１１】
2008304885.tif 000013
【図１２】
2008304885.tif 000014
【図１３】
2008304885.tif 000015
【図１４】
2008304885.tif 000016
【図１５】
2008304885.tif 000017
【図１６】
2008304885.tif 000018
【図１７】
2008304885.tif 000019
【図１８】
2008304885.tif 000020
【図１９】
2008304885.tif 000021
【図２０】
2008304885.tif 000022
【図２１】
2008304885.tif 000023
【図２２】
2008304885.tif 000024
【図２３】
2008304885.tif 000025
【図２４】
2008304885.tif 000026
【図２５】
2008304885.tif 000027
【図２６】
2008304885.tif 000028
【図２７】
2008304885.tif 000029
【図２８】
2008304885.tif 000030
【図２９】
2008304885.tif 000031
【図３０】
2008304885.tif 000032
【図３１】
2008304885.tif 000033
【図３２】
2008304885.tif 000034
【図３３】
2008304885.tif 000035
【図３４】
2008304885.tif 000036
【図３５】
2008304885.tif 000037
【図３６】
2008304885.tif 000038
【図３７】
2008304885.tif 000039
【図３８】
2008304885.tif 000040
【図３９】
2008304885.tif 000041
【図４０】
2008304885.tif 000042
【図４１】
2008304885.tif 000043
【図４２】
2008304885.tif 000044
【図４３】
2008304885.tif 000045
【図４４】
2008304885.tif 000046
【図４５】
2008304885.tif 000047
【図４６】
2008304885.tif 000048
【図４７】
2008304885.tif 000049
【図４８】
2008304885.tif 000050
【図４９】
2008304885.tif 000051
【図５０】
2008304885.tif 000052